(57)【要約】  ワイヤレス通信のための方法、システム、およびデバイスが、説明される。ワイヤレスデバイスは、複数の送信時間間隔(TTI)を介したトランスポートブロックの送信に対応するダウンリンク制御情報を受信し得る。ワイヤレスデバイスは、トランスポートブロック用の冗長バージョン系列を識別し得る。冗長バージョンは、事前定義された系列であってよく、または系列基準に基づいて上位レイヤシグナリングによって構成されてもよい。ワイヤレスデバイスは、冗長バージョン系列に少なくとも部分的に基づいて、複数のTTIの中でトランスポートブロックの複数の冗長バージョンを送信または受信し得る。いくつかの例では、複数の冗長バージョンは、別のワイヤレスデバイスによって識別される開始冗長バージョンに少なくとも部分的に基づいて決定されてよい。
2021503763.tif 000002
【特許請求の範囲】
【請求項１】
ワイヤレス通信のための方法であって、
複数の連続する送信時間間隔(TTI)を介したトランスポートブロックの送信に対応するダウンリンク制御情報をワイヤレスデバイスにおいて受信するステップと、
前記トランスポートブロック用の冗長バージョン系列を識別するステップと、
前記冗長バージョン系列に少なくとも部分的に基づいて、前記複数の連続するTTIの中で前記トランスポートブロックの複数の冗長バージョンを送信または受信するステップとを含む、
方法。
【請求項２】
前記ワイヤレスデバイスが、前記冗長バージョン系列を用いて事前構成される、
請求項1に記載の方法。
【請求項３】
前記冗長バージョン系列の中の開始冗長バージョンを識別するために前記ダウンリンク制御情報を処理するステップをさらに含む、
請求項1に記載の方法。
【請求項４】
前記冗長バージョン系列の中の前記開始冗長バージョンの後に出現する後続の冗長バージョンが、冗長バージョン2、冗長バージョン3、および冗長バージョン1である、
請求項3に記載の方法。
【請求項５】
前記ダウンリンク制御情報が、前記複数の連続するTTIを介した前記トランスポートブロックの前記送信をスケジュールする、
請求項1に記載の方法。
【請求項６】
前記冗長バージョン系列の中の開始冗長バージョンを識別するインジケータを識別するために前記ダウンリンク制御情報を処理するステップをさらに含む、
請求項1に記載の方法。
【請求項７】
前記冗長バージョン系列を識別するステップが、
系列基準に少なくとも部分的に基づく前記冗長バージョン系列を用いて前記ワイヤレスデバイスを構成するシグナリングを処理するステップを含む、
請求項1に記載の方法。
【請求項８】
前記系列基準が、性能基準を備える、
請求項7に記載の方法。
【請求項９】
前記系列基準が、自己復号可能性基準を備える、
請求項7に記載の方法。
【請求項１０】
前記冗長バージョン系列が、第1の冗長バージョンおよび前記第1の冗長バージョンのビット反転バージョンを備える、
請求項9に記載の方法。
【請求項１１】
前記冗長バージョン系列が、単一の冗長バージョンを備える、
請求項9に記載の方法。
【請求項１２】
前記複数の連続するTTIの中で前記トランスポートブロックの前記複数の冗長バージョンを送信または受信するステップが、
前記複数の冗長バージョンのうちの第1の冗長バージョンおよび前記第1の冗長バージョンの反復を、前記複数の連続するTTIの複数のTTIサブセットのうちの第1のTTIサブセット内で送信または受信するステップを含む、
請求項1に記載の方法。
【請求項１３】
前記第1のTTIサブセットのサイズを決定するステップをさらに含み、前記第1のTTIサブセットの中で送信または受信される前記第1の冗長バージョンの反復回数が、前記決定されたサイズに少なくとも部分的に基づく、
請求項12に記載の方法。
【請求項１４】
アグリゲーションレベル、コードレート、またはそれらの組合せに少なくとも部分的に基づいて前記複数のTTIサブセットを識別するステップをさらに含む、
請求項12に記載の方法。
【請求項１５】
前記冗長バージョン系列とは異なる第2の冗長バージョン系列に少なくとも部分的に基づいて、第2の複数のTTIの中で前記トランスポートブロックの前記複数の冗長バージョンの再送信を送信または受信するステップをさらに含む、
請求項1に記載の方法。
【請求項１６】
前記トランスポートブロックの前記複数の冗長バージョンを送信または受信するステップが、
前記冗長バージョン系列の第1のサブセットに対応する前記トランスポートブロックの前記冗長バージョンの第1のサブセットを含む第1の送信を送信または受信するステップと、
前記冗長バージョン系列の第2のサブセットに対応する前記トランスポートブロックの前記冗長バージョンの第2のサブセットを含む第2の送信を送信または受信するステップとを含む、
請求項1に記載の方法。
【請求項１７】
ワイヤレス通信のための方法であって、
複数の連続する送信時間間隔(TTI)を介したトランスポートブロックの送信に対応するダウンリンク制御情報をワイヤレスデバイスによって送信するステップと、
前記トランスポートブロック用の冗長バージョン系列を識別するステップと、
前記冗長バージョン系列に少なくとも部分的に基づいて、前記複数の連続するTTIの中で前記トランスポートブロックの複数の冗長バージョンを送信または受信するステップとを含む、
方法。
【請求項１８】
前記冗長バージョン系列の指示を送信するステップをさらに含む、
請求項17に記載の方法。
【請求項１９】
前記表示が、前記冗長バージョン系列の中の開始冗長バージョンを識別する、
請求項18に記載の方法。
【請求項２０】
前記表示が、前記ダウンリンク制御情報の冗長バージョンフィールドの中にあり、前記冗長バージョン系列の中の前記開始冗長バージョンが、前記複数の連続するTTIのうちの冒頭TTIのものである、
請求項19に記載の方法。
【請求項２１】
前記冗長バージョン系列の中の前記開始冗長バージョンの後に出現する後続の冗長バージョンが、冗長バージョン2、冗長バージョン3、および冗長バージョン1である、
請求項20に記載の方法。
【請求項２２】
前記表示が、前記ダウンリンク制御情報の中で送信される、
請求項18に記載の方法。
【請求項２３】
前記ダウンリンク制御情報が、前記複数の連続するTTIを介した前記トランスポートブロックの前記送信をスケジュールする、
請求項17に記載の方法。
【請求項２４】
前記表示が、無線リソース制御シグナリングの中で送信される、
請求項18に記載の方法。
【請求項２５】
ワイヤレス通信のための装置であって、
複数の連続する送信時間間隔(TTI)を介したトランスポートブロックの送信に対応するダウンリンク制御情報を受信する手段と、
前記トランスポートブロック用の冗長バージョン系列を識別する手段と、
前記冗長バージョン系列に少なくとも部分的に基づいて、前記複数の連続するTTIの中で前記トランスポートブロックの複数の冗長バージョンを送信または受信する手段とを備える、
装置。
【請求項２６】
前記装置が、前記冗長バージョン系列を用いて事前構成される、
請求項25に記載の装置。
【請求項２７】
前記冗長バージョン系列の中の開始冗長バージョンを識別するために前記ダウンリンク制御情報を処理する手段をさらに備える、
請求項25に記載の装置。
【請求項２８】
前記冗長バージョン系列の中の前記開始冗長バージョンの後に出現する後続の冗長バージョンが、冗長バージョン2、冗長バージョン3、および冗長バージョン1である、
請求項27に記載の装置。
【請求項２９】
前記ダウンリンク制御情報が、前記複数の連続するTTIを介した前記トランスポートブロックの前記送信をスケジュールする、
請求項25に記載の装置。
【請求項３０】
前記冗長バージョン系列の中の開始冗長バージョンを識別するインジケータを識別するために前記ダウンリンク制御情報を処理する手段をさらに備える、
請求項25に記載の装置。
【請求項３１】
前記冗長バージョン系列を識別する手段が、
系列基準に少なくとも部分的に基づく前記冗長バージョン系列を用いて前記装置を構成するシグナリングを処理する手段をさらに備える、
請求項25に記載の装置。
【請求項３２】
前記系列基準が、性能基準を備える、
請求項31に記載の装置。
【請求項３３】
前記系列基準が、自己復号可能性基準を備える、
請求項31に記載の装置。
【請求項３４】
前記冗長バージョン系列が、第1の冗長バージョンおよび前記第1の冗長バージョンのビット反転バージョンを備える、
請求項33に記載の装置。
【請求項３５】
前記冗長バージョン系列が、単一の冗長バージョンを備える、
請求項33に記載の装置。
【請求項３６】
前記複数の連続するTTIの中で前記トランスポートブロックの前記複数の冗長バージョンを送信または受信する手段が、
前記複数の冗長バージョンのうちの第1の冗長バージョンおよび前記第1の冗長バージョンの反復を、前記複数の連続するTTIの複数のTTIサブセットのうちの第1のTTIサブセット内で送信または受信する手段をさらに備える、
請求項25に記載の装置。
【請求項３７】
前記第1のTTIサブセットのサイズを決定する手段をさらに備え、前記第1のTTIサブセットの中で送信または受信される前記第1の冗長バージョンの反復回数が、前記決定されたサイズに少なくとも部分的に基づく、
請求項36に記載の装置。
【請求項３８】
アグリゲーションレベル、コードレート、またはそれらの組合せに少なくとも部分的に基づいて前記複数のTTIサブセットを識別する手段をさらに備える、
請求項36に記載の装置。
【請求項３９】
前記冗長バージョン系列とは異なる第2の冗長バージョン系列に少なくとも部分的に基づいて、第2の複数のTTIの中で前記トランスポートブロックの前記複数の冗長バージョンの再送信を送信または受信する手段をさらに備える、
請求項25に記載の装置。
【請求項４０】
前記トランスポートブロックの前記複数の冗長バージョンを送信または受信する手段が、
前記冗長バージョン系列の第1のサブセットに対応する前記トランスポートブロックの前記冗長バージョンの第1のサブセットを含む第1の送信を送信または受信する手段と、
前記冗長バージョン系列の第2のサブセットに対応する前記トランスポートブロックの前記冗長バージョンの第2のサブセットを含む第2の送信を送信または受信する手段とをさらに備える、
請求項25に記載の装置。
【請求項４１】
ワイヤレス通信のための装置であって、
複数の連続する送信時間間隔(TTI)を介したトランスポートブロックの送信に対応するダウンリンク制御情報を送信する手段と、
前記トランスポートブロック用の冗長バージョン系列を識別する手段と、
前記冗長バージョン系列に少なくとも部分的に基づいて、前記複数の連続するTTIの中で前記トランスポートブロックの複数の冗長バージョンを送信または受信する手段とを備える、
装置。
【請求項４２】
前記冗長バージョン系列の指示を送信する手段をさらに備える、
請求項41に記載の装置。
【請求項４３】
前記表示が、前記冗長バージョン系列の中の開始冗長バージョンを識別する、
請求項42に記載の装置。
【請求項４４】
前記表示が、前記ダウンリンク制御情報の冗長バージョンフィールドの中にあり、前記冗長バージョン系列の中の前記開始冗長バージョンが、前記複数の連続するTTIのうちの冒頭TTIのものである、
請求項43に記載の装置。
【請求項４５】
前記冗長バージョン系列の中の前記開始冗長バージョンの後に出現する後続の冗長バージョンが、冗長バージョン2、冗長バージョン3、および冗長バージョン1である、
請求項44に記載の装置。
【請求項４６】
前記表示が、前記ダウンリンク制御情報の中で送信される、
請求項42に記載の装置。
【請求項４７】
前記ダウンリンク制御情報が、前記複数の連続するTTIを介した前記トランスポートブロックの前記送信をスケジュールする、
請求項41に記載の装置。
【請求項４８】
前記表示が、無線リソース制御シグナリングの中で送信される、
請求項42に記載の装置。
【発明の詳細な説明】
【技術分野】
【０００１】
相互参照
本特許出願は、2018年11月13日に出願された「MULTI-SLOT SCHEDULING WITH REPETITIVE TRANSMISSION OF A TRANSPORT BLOCK WITH DIFFERENT REDUNDANCY VERSIONS」と題するNamらによる米国特許出願第16/189,175号、および2017年11月16日に出願された「MULTI-SLOT SCHEDULING WITH REPETITIVE TRANSMISSION OF A TRANSPORT BLOCK WITH DIFFERENT REDUNDANCY VERSIONS」と題するNamらによる米国仮特許出願第62/587,316号の優先権を主張し、その各々は、本出願の譲受人に譲渡され、本明細書に明確に組み込まれる。
【０００２】
以下のことは、一般に、ワイヤレス通信に関し、より詳細には、異なる冗長バージョンを有するトランスポートブロックの反復送信を伴うマルチスロットスケジューリングに関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって、複数のユーザとの通信をサポートすることが可能であり得る。そのような多元接続システムの例は、ロングタームエボリューション(LTE)システムまたはLTEアドバンスト(LTE-A)システムなどの第4世代(4G)システム、およびニューラジオ(NR:New Radio)システムと呼ばれることがある第5世代(5G)システムを含む。これらのシステムは、符号分割多元接続(CDMA(登録商標))、時分割多元接続(TDMA)、周波数分割多元接続(FDMA)、直交周波数分割多元接続(OFDMA)、または離散フーリエ変換拡散直交周波数分割多重化(DFT-S-OFDM:discrete Fourier transform-spread-orthogonal frequency division multiplexing)などの技術を採用し得る。ワイヤレス多元接続通信システムは、場合によってはユーザ機器(UE)として知られている複数の通信デバイスのための通信を各々が同時にサポートする、いくつかの基地局またはネットワークアクセスノードを含んでよい。
【０００４】
ワイヤレス通信システムの中の様々なワイヤレスデバイスからの送信の間の衝突を回避するために、基地局は、様々なワイヤレスデバイスによる送信のスケジューリングを制御し得る。ワイヤレス通信システムでは、基地局およびUEは、ワイヤレスチャネルの一定の時間および周波数リソースに対応するスロットの中で通信し得る。各スロットは、いくつかのシンボル期間を含んでよく、帯域幅に対応し得る。各スロットは、制御情報をトランスポートするための制御チャネル、ならびにアップリンクデータおよび/またはダウンリンクデータを送信するための共有データチャネルを含んでよい。基地局は、スロットの共有データチャネルの一部または全部をワイヤレスデバイスに割り振るスロットの制御チャネル上でスケジューリング許可を送信し得る。ワイヤレスデバイスは、スケジューリング許可に従って共有データチャネルを使用してデータを送信または受信し得る。場合によっては、スケジューリング許可は、1つまたは複数のスロットがアグリゲートされていることを示してよく、ここで、2つ以上のスロットは、介在する制御チャネルを含むことなく、より長い時間期間にわたって延びる、より長い共有データチャネルを形成するように組み合わせられてよい。
【０００５】
いくつかのワイヤレス通信システムはまた、信頼できない通信チャネルを介した、デジタルデータの信頼できる配信を可能にする、誤り管理技法をサポートし得る。そのような誤り管理技法の例は、特に、前方誤り訂正(FEC)方式および自動再送要求(ARQ)方式を含む。FEC方式は、受信機が受信コードワードの中の誤りを訂正することを可能にするために、冗長ビットを活用する。ARQ方式は、誤りを検出するために送信に付加された巡回冗長検査(CRC)ビットを使用する。観測されたCRCビットと予想されるCRCビットとが異なる場合、受信機は、誤りが発生していることを決定し、送信を廃棄し、再送信を要求するために否定応答(NACK)を送る。ARQとは異なり、ハイブリッドARQ(HARQ)技法は、誤りを含む送信を完全に廃棄するとは限らず、むしろ、受信機は、入ってくる送信を復調し、復号動作の次の段階に軟判定を送る。元の送信および後続の再送信からの軟判定は、リンク効率を改善するために組み合わせられてよい。しかしながら、既存のHARQ方式は、スロットがアグリゲートされているとHARQ動作をサポートしない。
【発明の概要】
【課題を解決するための手段】
【０００６】
説明する技法は、異なる冗長バージョン(RV)を有するトランスポートブロックの反復送信を伴うマルチスロットスケジューリングをサポートする、改善された方法、システム、デバイス、または装置に関する。概して、説明する技法は、アグリゲート送信時間間隔(TTI:transmission time interval)内でのトランスポートブロックの冗長バージョンの通信用の冗長バージョン系列を示すことによって、アグリゲートTTIに対するHARQ動作をサポートする。
【０００７】
一例では、ユーザ機器などのワイヤレスデバイスは、基地局などの第2のワイヤレスデバイスからダウンリンク制御情報(DCI)を受信し得る。DCIは、TTIのセットを介したトランスポートブロックの送信をスケジュールし得、トランスポートブロック用の冗長バージョン系列を示してよい。いくつかの例では、DCIは、RVの系列が送信または受信されるべき順序を識別し得る。別の例では、基地局は、RV系列をUEにシグナリングし得、アグリゲートTTIのセット、およびアグリゲートTTIのセット内で送信または受信されるべきトランスポートブロックのRVの系列の中の最初のRVを示す、DCIを送信し得る。UEは、DCIの中で示される最初のRVとともに始まるアグリゲートTTIのセットの中で、トランスポートブロックのRVを送信または受信し得る。いくつかの例では、基地局は、性能基準または自己復号可能性基準などの系列基準に基づいて、RV系列を選択し得る。基地局およびUEは、次いで、冗長バージョン系列に少なくとも部分的に基づいて、アグリゲートTTIのセットの中でトランスポートブロックの冗長バージョンのセットを送信または受信し得る。
【０００８】
ワイヤレス通信の方法が、説明される。方法は、連続する送信時間間隔(TTI)のセットを介したトランスポートブロックの送信に対応するダウンリンク制御情報をワイヤレスデバイスにおいて受信することと、トランスポートブロック用の冗長バージョン系列を識別することと、冗長バージョン系列に基づいて、連続するTTIのセットの中でトランスポートブロックの冗長バージョンのセットを送信または受信することとを含んでよい。
【０００９】
ワイヤレス通信のための装置が、説明される。装置は、プロセッサと、プロセッサと電子通信しているメモリと、メモリの中に記憶された命令とを含んでよい。命令は、装置に、連続する送信時間間隔(TTI)のセットを介したトランスポートブロックの送信に対応するダウンリンク制御情報をワイヤレスデバイスにおいて受信させ、トランスポートブロック用の冗長バージョン系列を識別させ、冗長バージョン系列に基づいて、連続するTTIのセットの中でトランスポートブロックの冗長バージョンのセットを送信または受信させるように、プロセッサによって実行可能であってよい。
【００１０】
ワイヤレス通信のための別の装置が、説明される。装置は、連続する送信時間間隔(TTI)のセットを介したトランスポートブロックの送信に対応するダウンリンク制御情報をワイヤレスデバイスにおいて受信し、トランスポートブロック用の冗長バージョン系列を識別し、冗長バージョン系列に基づいて、連続するTTIのセットの中でトランスポートブロックの冗長バージョンのセットを送信または受信する手段を含んでよい。
【００１１】
ワイヤレス通信のためのコードを記憶する非一時的コンピュータ可読媒体が、説明される。コードは、連続する送信時間間隔(TTI)のセットを介したトランスポートブロックの送信に対応するダウンリンク制御情報をワイヤレスデバイスにおいて受信し、トランスポートブロック用の冗長バージョン系列を識別し、冗長バージョン系列に基づいて、連続するTTIのセットの中でトランスポートブロックの冗長バージョンのセットを送信または受信するための、プロセッサによって実行可能な命令を含んでよい。
【００１２】
本明細書で説明する方法、装置、および非一時的コンピュータ可読媒体のいくつかの例では、ワイヤレスデバイスは、冗長バージョン系列を用いて事前構成され得る。
【００１３】
本明細書で説明する方法、装置、および非一時的コンピュータ可読媒体のいくつかの例は、冗長バージョン系列の中の開始冗長バージョンを識別するためにダウンリンク制御情報を処理するための、動作、機能、手段、または命令をさらに含んでよい。
【００１４】
本明細書で説明する方法、装置、および非一時的コンピュータ可読媒体のいくつかの例は、冗長バージョン系列の中の開始冗長バージョンの後に出現する後続の冗長バージョンが、冗長バージョン2、冗長バージョン3、および冗長バージョン1であり得ることのための、動作、機能、手段、または命令をさらに含んでよい。
【００１５】
本明細書で説明する方法、装置、および非一時的コンピュータ可読媒体のいくつかの例では、ダウンリンク制御情報は、連続するTTIのセットを介したトランスポートブロックの送信をスケジュールする。
【００１６】
本明細書で説明する方法、装置、および非一時的コンピュータ可読媒体のいくつかの例は、冗長バージョン系列の中の開始冗長バージョンを識別するインジケータを識別するためにダウンリンク制御情報を処理するための、動作、機能、手段、または命令をさらに含んでよい。
【００１７】
本明細書で説明する方法、装置、および非一時的コンピュータ可読媒体のいくつかの例では、冗長バージョン系列を識別することは、系列基準に基づく冗長バージョン系列を用いてワイヤレスデバイスを構成するシグナリングを処理するための、動作、機能、手段、または命令を含んでよい。
【００１８】
本明細書で説明する方法、装置、および非一時的コンピュータ可読媒体のいくつかの例では、系列基準は、性能基準を含む。
【００１９】
本明細書で説明する方法、装置、および非一時的コンピュータ可読媒体のいくつかの例では、系列基準は、自己復号可能性基準を含む。
【００２０】
本明細書で説明する方法、装置、および非一時的コンピュータ可読媒体のいくつかの例では、冗長バージョン系列は、第1の冗長バージョンおよび第1の冗長バージョンのビット反転バージョンを含む。
【００２１】
本明細書で説明する方法、装置、および非一時的コンピュータ可読媒体のいくつかの例では、冗長バージョン系列は、単一の冗長バージョンを含む。
【００２２】
本明細書で説明する方法、装置、および非一時的コンピュータ可読媒体のいくつかの例では、連続するTTIのセットの中でトランスポートブロックの冗長バージョンのセットを送信または受信することは、冗長バージョンのセットの第1の冗長バージョンおよび第1の冗長バージョンの反復を、連続するTTIのセットのTTIサブセットのセットの第1のTTIサブセット内で送信または受信するための、動作、機能、手段、または命令を含んでよい。
【００２３】
本明細書で説明する方法、装置、および非一時的コンピュータ可読媒体のいくつかの例は、第1のTTIサブセットのサイズを決定するための、動作、機能、手段、または命令をさらに含んでよく、ここで、第1のTTIサブセットの中で送信または受信される第1の冗長バージョンの反復回数は、決定されたサイズに基づいてよい。
【００２４】
本明細書で説明する方法、装置、および非一時的コンピュータ可読媒体のいくつかの例は、アグリゲーションレベル、コードレート、またはそれらの組合せに基づいてTTIサブセットのセットを識別するための、動作、機能、手段、または命令をさらに含んでよい。
【００２５】
本明細書で説明する方法、装置、および非一時的コンピュータ可読媒体のいくつかの例は、その冗長バージョン系列とは異なる第2の冗長バージョン系列に基づいて、TTIの第2のセットの中でトランスポートブロックの冗長バージョンのセットの再送信を送信または受信するための、動作、機能、手段、または命令をさらに含んでよい。
【００２６】
本明細書で説明する方法、装置、および非一時的コンピュータ可読媒体のいくつかの例では、トランスポートブロックの冗長バージョンのセットを送信または受信することは、冗長バージョン系列の第1のサブセットに対応するトランスポートブロックの冗長バージョンの第1のサブセットを含む第1の送信を送信または受信し、冗長バージョン系列の第2のサブセットに対応するトランスポートブロックの冗長バージョンの第2のサブセットを含む第2の送信を送信または受信するための、動作、機能、手段、または命令を含んでよい。
【００２７】
ワイヤレス通信の方法が、説明される。方法は、連続する送信時間間隔(TTI)のセットを介したトランスポートブロックの送信に対応するダウンリンク制御情報をワイヤレスデバイスによって送信することと、トランスポートブロック用の冗長バージョン系列を識別することと、冗長バージョン系列に基づいて、連続するTTIのセットの中でトランスポートブロックの冗長バージョンのセットを送信または受信することとを含んでよい。
【００２８】
ワイヤレス通信のための装置が、説明される。装置は、プロセッサと、プロセッサと電子通信しているメモリと、メモリの中に記憶された命令とを含んでよい。命令は、装置に、連続する送信時間間隔(TTI)のセットを介したトランスポートブロックの送信に対応するダウンリンク制御情報をワイヤレスデバイスによって送信させ、トランスポートブロック用の冗長バージョン系列を識別させ、冗長バージョン系列に基づいて、連続するTTIのセットの中でトランスポートブロックの冗長バージョンのセットを送信または受信させるように、プロセッサによって実行可能であってよい。
【００２９】
ワイヤレス通信のための別の装置が、説明される。装置は、連続する送信時間間隔(TTI)のセットを介したトランスポートブロックの送信に対応するダウンリンク制御情報をワイヤレスデバイスによって送信し、トランスポートブロック用の冗長バージョン系列を識別し、冗長バージョン系列に基づいて、連続するTTIのセットの中でトランスポートブロックの冗長バージョンのセットを送信または受信する手段を含んでよい。
【００３０】
ワイヤレス通信のためのコードを記憶する非一時的コンピュータ可読媒体が、説明される。コードは、連続する送信時間間隔(TTI)のセットを介したトランスポートブロックの送信に対応するダウンリンク制御情報をワイヤレスデバイスによって送信し、トランスポートブロック用の冗長バージョン系列を識別し、冗長バージョン系列に基づいて、連続するTTIのセットの中でトランスポートブロックの冗長バージョンのセットを送信または受信するための、プロセッサによって実行可能な命令を含んでよい。
【００３１】
本明細書で説明する方法、装置、および非一時的コンピュータ可読媒体のいくつかの例は、冗長バージョン系列の指示を送信するための、動作、機能、手段、または命令をさらに含んでよい。
【００３２】
本明細書で説明する方法、装置、および非一時的コンピュータ可読媒体のいくつかの例では、表示は、冗長バージョン系列の中の開始冗長バージョンを識別する。
【００３３】
本明細書で説明する方法、装置、および非一時的コンピュータ可読媒体のいくつかの例では、表示は、ダウンリンク制御情報の冗長バージョンフィールドの中にあってよく、ここで、冗長バージョン系列の中の開始冗長バージョンは、連続するTTIのセットの冒頭TTIのものであってよい。
【００３４】
本明細書で説明する方法、装置、および非一時的コンピュータ可読媒体のいくつかの例は、冗長バージョン系列の中の開始冗長バージョンの後に出現する後続の冗長バージョンが、冗長バージョン2、冗長バージョン3、および冗長バージョン1であり得ることのための、動作、機能、手段、または命令をさらに含んでよい。
【００３５】
本明細書で説明する方法、装置、および非一時的コンピュータ可読媒体のいくつかの例では、表示は、ダウンリンク制御情報の中で送信され得る。
【００３６】
本明細書で説明する方法、装置、および非一時的コンピュータ可読媒体のいくつかの例では、表示は、無線リソース制御シグナリングの中で送信され得る。
【００３７】
本明細書で説明する方法、装置、および非一時的コンピュータ可読媒体のいくつかの例では、ダウンリンク制御情報は、連続するTTIのセットを介したトランスポートブロックの送信をスケジュールする。
【図面の簡単な説明】
【００３８】
【図１】本開示の態様による、異なる冗長バージョンを有するトランスポートブロックの反復送信を伴うマルチスロットスケジューリングをサポートするワイヤレス通信のためのシステムの一例を示す図である。
【図２】本開示の態様による、異なる冗長バージョンを有するトランスポートブロックの反復送信を伴うマルチスロットスケジューリングをサポートするワイヤレス通信システムの一例を示す図である。
【図３】本開示の態様による、異なる冗長バージョンを有するトランスポートブロックの反復送信を伴うマルチスロットスケジューリングをサポートするワイヤレス通信システムにおけるプロセスフローの一例を示す図である。
【図４】本開示の態様による、異なる冗長バージョンを有するトランスポートブロックの反復送信を伴うマルチスロットスケジューリングをサポートするワイヤレス通信システムにおける冗長バージョン送信方式の一例を示す図である。
【図５】本開示の態様による、異なる冗長バージョンを有するトランスポートブロックの反復送信を伴うマルチスロットスケジューリングをサポートするワイヤレス通信システムにおける冗長バージョン送信方式の一例を示す図である。
【図６】本開示の態様による、異なる冗長バージョンを有するトランスポートブロックの反復送信を伴うマルチスロットスケジューリングをサポートするワイヤレス通信システムにおける冗長バージョン送信方式の一例を示す図である。
【図７】本開示の態様による、異なる冗長バージョンを有するトランスポートブロックの反復送信を伴うマルチスロットスケジューリングをサポートするデバイスのブロック図である。
【図８】本開示の態様による、異なる冗長バージョンを有するトランスポートブロックの反復送信を伴うマルチスロットスケジューリングをサポートするデバイスのブロック図である。
【図９】本開示の態様による、異なる冗長バージョンを有するトランスポートブロックの反復送信を伴うマルチスロットスケジューリングをサポートするデバイスのブロック図である。
【図１０】本開示の態様による、異なる冗長バージョンを有するトランスポートブロックの反復送信を伴うマルチスロットスケジューリングをサポートするUEを含むシステムのブロック図である。
【図１１】本開示の態様による、異なる冗長バージョンを有するトランスポートブロックの反復送信を伴うマルチスロットスケジューリングをサポートするデバイスのブロック図である。
【図１２】本開示の態様による、異なる冗長バージョンを有するトランスポートブロックの反復送信を伴うマルチスロットスケジューリングをサポートするデバイスのブロック図である。
【図１３】本開示の態様による、異なる冗長バージョンを有するトランスポートブロックの反復送信を伴うマルチスロットスケジューリングをサポートするデバイスのブロック図である。
【図１４】本開示の態様による、異なる冗長バージョンを有するトランスポートブロックの反復送信を伴うマルチスロットスケジューリングをサポートする基地局を含むシステムのブロック図である。
【図１５】本開示の態様による、異なる冗長バージョンを有するトランスポートブロックの反復送信を伴うマルチスロットスケジューリングのための方法を示す図である。
【図１６】本開示の態様による、異なる冗長バージョンを有するトランスポートブロックの反復送信を伴うマルチスロットスケジューリングのための方法を示す図である。
【図１７】本開示の態様による、異なる冗長バージョンを有するトランスポートブロックの反復送信を伴うマルチスロットスケジューリングのための方法を示す図である。
【図１８】本開示の態様による、異なる冗長バージョンを有するトランスポートブロックの反復送信を伴うマルチスロットスケジューリングのための方法を示す図である。
【発明を実施するための形態】
【００３９】
説明する技法は、異なる冗長バージョンを有するトランスポートブロックの反復送信を伴うマルチスロットスケジューリングをサポートする。概して、説明する技法は、アグリゲート送信時間間隔(TTI)内でのトランスポートブロックの冗長バージョンの通信用の冗長バージョン系列を示すことによって、アグリゲートTTIに対するHARQ動作をサポートする。
【００４０】
一例では、第1のワイヤレスデバイス(たとえば、基地局)は、ダウンリンク制御情報(DCI:downlink control information)を第2のワイヤレスデバイス(たとえば、ユーザ機器(UE))へ送信し得る。DCIは、TTIのアグリゲートされたセットを介したトランスポートブロックの送信をスケジュールし得る。いくつかの例では、DCIは、第2のワイヤレスデバイスが、TTIのセットの中で、第1のワイヤレスデバイスへデータを送信すべきであること、または第1のワイヤレスデバイスからデータを受信すべきであることを示してよい。第2のワイヤレスデバイスは、DCIを受信し得、TTIのセットを介してトランスポートブロックを送信または受信するための冗長バージョン系列を識別し得る。第2のワイヤレスデバイスは、次いで、冗長バージョン系列に従って、TTIのセットの中でトランスポートブロックの冗長バージョンを送信または受信し得る。いくつかの例では、第2のワイヤレスデバイスは、第1のワイヤレスデバイスによって識別されるかまたはさもなければ示される開始冗長バージョンに従って、第1の冗長バージョンを送信または受信し得る。そのような技法は、アグリゲートスロットまたはアグリゲートミニスロットのセットなどのアグリゲートTTIのセットの中で通信されるトランスポートブロックに対する、ハイブリッド自動再送要求(HARQ)動作を可能にするために使用され得る。
【００４１】
スロットアグリゲーション技法は、TTIのセットが1つのスケジューリング許可の中でワイヤレスデバイスに割り振られることを可能にし得る。TTIは、アグリゲートTTIの中でのトランスポートブロックの冗長バージョンの送信または受信に対して許可され得る。いくつかの例では、本明細書で説明する技法は、トランスポートブロックの複数の冗長バージョンがアグリゲートTTIの中で通信されるとき、HARQ動作をサポートするために使用され得る。TTIアグリゲーションを伴うHARQ動作を容易にするために、TTIのセットの中で送信される冗長バージョンは、冗長バージョン系列、ワイヤレス通信システムの中の別のワイヤレスデバイスからのシグナリング、またはそれらの組合せに基づいて決定され得る。
【００４２】
一例では、第1のワイヤレスデバイス(たとえば、基地局)は、TTIのセットの中でのトランスポートブロックの冗長バージョンの送信をスケジュールまたはアクティブ化するために、DCIを送信し得る。DCIは、第2のワイヤレスデバイス(たとえば、ユーザ機器(UE))が、TTIのセットの中で、第1のワイヤレスデバイスへデータを送信すべきであること、または第1のワイヤレスデバイスからデータを受信すべきであることを示してよい。第1のワイヤレスデバイスはまた、冗長バージョン系列(たとえば、開始冗長バージョン)の表示を第2のワイヤレスデバイスへ送信し得る。
【００４３】
第2のワイヤレスデバイスは、DCIを受信し得、第2のワイヤレスデバイスがその中でトランスポートブロックの冗長バージョンを送信または受信すべきTTIを識別し得る。トランスポートブロックの冗長バージョンとは、情報ビットおよび非情報ビット(たとえば、パリティビット)の特定の組合せを指すことがあり、ここで、異なる各冗長バージョンは、情報ビットおよび非情報ビットの異なる組合せを有してよい。第2のワイヤレスデバイスは、冗長バージョン系列に少なくとも部分的に基づいて、トランスポートブロックのどの冗長バージョンをTTIのセットの中で送信すべきか、または受信すると予想すべきかを決定し得る。
【００４４】
冗長バージョン系列は、トランスポートブロックの冗長バージョンが送信される順序であってよい。冗長バージョン系列は、(たとえば、冗長バージョン系列を用いて事前構成された)UEによって局所的に記憶され得るか、または系列基準(たとえば、性能基準および/または自己復号可能性基準)に少なくとも部分的に基づいて上位レイヤシグナリングによって構成され得る。いくつかの例では、送信用の冗長バージョンは、ワイヤレス通信システムの中の別のワイヤレスデバイス、たとえば、第1のワイヤレスデバイスからのシグナリングに少なくとも部分的に基づいて識別され得る。たとえば、第2のワイヤレスデバイスは、開始冗長バージョンの識別情報を第1のワイヤレスデバイスから受信し得る。第2のワイヤレスデバイスは、識別された開始冗長バージョンとともに始めて、冗長バージョン系列に従って冗長バージョンを送信または受信し得る。
【００４５】
本開示の態様は、最初にワイヤレス通信システムのコンテキストで説明される。本開示の態様は、異なる冗長バージョンを有するトランスポートブロックの反復送信を伴うマルチスロットスケジューリングに関係する装置図、システム図、およびフローチャートによってさらに図示され、またそれらを参照しながら説明される。
【００４６】
図1は、本開示の様々な態様によるワイヤレス通信システム100の一例を示す。ワイヤレス通信システム100は、基地局105、UE115、およびコアネットワーク130を含む。いくつかの例では、ワイヤレス通信システム100は、LTEネットワーク、LTEアドバンスト(LTE-A)ネットワーク、またはニューラジオ(NR)ネットワークであってよい。場合によっては、ワイヤレス通信システム100は、拡張ブロードバンド通信、超高信頼(たとえば、ミッションクリティカル)通信、低レイテンシ通信、または低コストで低複雑度のデバイスとの通信をサポートし得る。
【００４７】
基地局105は、1つまたは複数の基地局アンテナを介してUE115とワイヤレス通信し得る。本明細書で説明する基地局105は、トランシーバ基地局、無線基地局、アクセスポイント、無線トランシーバ、ノードB、eノードB(eNB)、次世代ノードBもしくはギガノードB(それらのうちのいずれもgNBと呼ばれることがある)、ホームノードB、ホームeノードB、またはいくつかの他の好適な用語を含んでよく、あるいは当業者によってそのように呼ばれることがある。ワイヤレス通信システム100は、異なるタイプの基地局105(たとえば、マクロセル基地局またはスモールセル基地局)を含んでよい。本明細書で説明するUE115は、マクロeNB、スモールセルeNB、gNB、中継基地局などを含む、様々なタイプの基地局105およびネットワーク機器と通信できる場合がある。
【００４８】
各基地局105は、様々なUE115との通信がサポートされる特定の地理的カバレージエリア110に関連し得る。各基地局105は、通信リンク125を介してそれぞれの地理的カバレージエリア110に通信カバレージを提供し得、基地局105とUE115との間の通信リンク125は、1つまたは複数のキャリアを利用し得る。ワイヤレス通信システム100に示す通信リンク125は、UE115から基地局105へのアップリンク送信または基地局105からUE115へのダウンリンク送信を含んでよい。ダウンリンク送信は、順方向リンク送信と呼ばれることもあり、アップリンク送信は、逆方向リンク送信と呼ばれることもある。
【００４９】
基地局105のための地理的カバレージエリア110は、地理的カバレージエリア110の一部分のみを構成するセクタに分割されてよく、各セクタは、セルに関連付けられてよい。たとえば、各基地局105は、マクロセル、スモールセル、ホットスポット、もしくは他のタイプのセル、またはそれらの様々な組合せのための通信カバレージを提供し得る。いくつかの例では、基地局105は、可動であってよく、したがって、移動している地理的カバレージエリア110に通信カバレージを提供し得る。いくつかの例では、異なる技術に関連する異なる地理的カバレージエリア110は、オーバータップすることがあり、異なる技術に関連するオーバーラップする地理的カバレージエリア110は、同じ基地局105によって、または異なる基地局105によって、サポートされ得る。ワイヤレス通信システム100は、たとえば、異なるタイプの基地局105が様々な地理的カバレージエリア110にカバレージを提供する異種LTE/LTE-AネットワークまたはNRネットワークを含んでよい。
【００５０】
「セル」という用語は、(たとえば、キャリアを介した)基地局105との通信のために使用される論理通信エンティティを指し、同じかまたは異なるキャリアを介して動作する隣接セルを区別するための識別子(たとえば、物理セル識別子(PCID:physical cell identifier)、仮想セル識別子(VCID:virtual cell identifier))に関連付けられてよい。いくつかの例では、キャリアは、複数のセルをサポートし得、異なるセルは、異なるタイプのデバイスにアクセスを提供し得る異なるプロトコルタイプ(たとえば、マシンタイプ通信(MTC:machine-type communication)、狭帯域モノのインターネット(NB-IoT:narrowband Internet-of-Things)、拡張モバイルブロードバンド(eMBB:enhanced mobile broadband)、または他のもの)に従って構成され得る。場合によっては、「セル」という用語は、論理エンティティがそれを介して動作する地理的カバレージエリア110の一部分(たとえば、セクタ)を指すことがある。
【００５１】
UE115は、ワイヤレス通信システム100全体にわたって分散されてよく、各UE115は、固定またはモバイルであってよい。UE115は、モバイルデバイス、ワイヤレスデバイス、リモートデバイス、ハンドヘルドデバイス、もしくは加入者デバイス、またはいくつかの他の好適な用語で呼ばれることもあり、ここで、「デバイス」は、ユニット、局、端末、またはクライアントと呼ばれることもある。UE115はまた、セルラーフォン、携帯情報端末(PDA)、タブレットコンピュータ、ラップトップコンピュータ、またはパーソナルコンピュータなどの、パーソナル電子デバイスであってよい。いくつかの例では、UE115はまた、ワイヤレスローカルループ(WLL)局、モノのインターネット(IoT)デバイス、インターネットオブエブリシング(IoE:Internet of Everything)デバイス、またはMTCデバイスなどを指すことがあり、それらは、家電機器、車両、メーターなどの様々な物品の中に実装され得る。
【００５２】
MTCデバイスまたはIoTデバイスなどのいくつかのUE115は、低コストまたは低複雑度のデバイスであってよく、機械間の自動化された通信を(たとえば、マシンツーマシン(M2M:Machine-to-Machine)通信を介して)提供し得る。M2M通信またはMTCは、人間が介在することなく、デバイスが互いにまたは基地局105と通信することを可能にするデータ通信技術を指すことがある。いくつかの例では、M2M通信またはMTCは、センサーまたはメーターを組み込んで情報を測定または獲得し、その情報を利用できる中央サーバまたはアプリケーションプログラムにその情報を中継するか、あるいはプログラムまたはアプリケーションと対話する人間にその情報を提示する、デバイスからの通信を含んでよい。いくつかのUE115は、情報を収集するか、または機械の自動化された挙動を可能にするように、設計され得る。MTCデバイスのための適用例の例は、スマートメータリング、インベントリ監視、水位監視、機器監視、ヘルスケア監視、野生生物監視、天候および地質学的事象監視、フリート管理および追跡、リモートセキュリティ感知、物理アクセス制御、ならびにトランザクションベースのビジネスの課金を含む。
【００５３】
いくつかのUE115は、半二重通信などの、電力消費を低減する動作モード(たとえば、送信または受信を介した単方向通信をサポートするが、送信および受信を同時にはサポートしないモード)を採用するように構成され得る。いくつかの例では、半二重通信は、低減されたピークレートで実行され得る。UE115のための他の電力節約技法は、アクティブな通信に関与していないときに省電力「ディープスリープ」モードに入ること、または(たとえば、狭帯域通信による)限定された帯域幅を介して動作することを含む。場合によっては、UE115は、クリティカルな機能(たとえば、ミッションクリティカルな機能)をサポートするように設計されてよく、ワイヤレス通信システム100は、これらの機能のために超高信頼通信を提供するように構成され得る。
【００５４】
場合によっては、UE115はまた、(たとえば、ピアツーピア(P2P:peer-to-peer)プロトコルまたはデバイス間(D2D:device-to-device)プロトコルを使用して)他のUE115と直接通信できることがある。D2D通信を利用するUE115のグループのうちの1つまたは複数は、基地局105の地理的カバレージエリア110内にあってよい。そのようなグループの中の他のUE115は、基地局105の地理的カバレージエリア110の外側にあってよく、またはさもなければ基地局105からの送信を受信できないことがある。場合によっては、D2D通信を介して通信するUE115のグループは、各UE115がグループの中のすべての他のUE115へ送信する1対多(1:M)システムを利用し得る。いくつかの場合には、基地局105が、D2D通信のためのリソースのスケジューリング(たとえば、アクティブ化)を容易にする。他の場合には、D2D通信は、基地局105の関与を伴わずにUE115間で実行される。
【００５５】
基地局105は、コアネットワーク130と、かつ互いに通信し得る。たとえば、基地局105は、バックホールリンク132を通じて(たとえば、S1インターフェースまたは他のインターフェースを介して)コアネットワーク130とインターフェースし得る。基地局105は、バックホールリンク134を介して(たとえば、X2インターフェースまたは他のインターフェースを介して)、直接(たとえば、基地局105間で直接)または間接的に(たとえば、コアネットワーク130を介して)のいずれかで、互いに通信し得る。
【００５６】
コアネットワーク130は、ユーザ認証、アクセス許可、トラッキング、インターネットプロトコル(IP)接続性、および他のアクセス機能、ルーティング機能、またはモビリティ機能を提供し得る。コアネットワーク130は、発展型パケットコア(EPC:evolved packet core)であってよく、発展型パケットコアは、少なくとも1つのモビリティ管理エンティティ(MME:mobility management entity)、少なくとも1つのサービングゲートウェイ(S-GW:serving gateway)、および少なくとも1つのパケットデータネットワーク(PDN:Packet Data Network)ゲートウェイ(P-GW)を含んでよい。MMEは、EPCに関連付けられた基地局105によってサービスされるUE115のためのモビリティ、認証、およびベアラ管理などの、非アクセス層(たとえば、制御プレーン)機能を管理し得る。ユーザIPパケットは、それ自体がP-GWに接続され得るS-GWを通じて転送され得る。P-GWは、IPアドレス割振りならびに他の機能を提供し得る。P-GWは、ネットワーク事業者IPサービスに接続され得る。事業者IPサービスは、インターネット、イントラネット、IPマルチメディアサブシステム(IMS:IP Multimedia Subsystem)、またはパケット交換(PS:Packet-Switched)ストリーミングサービスへのアクセスを含んでよい。
【００５７】
基地局105などのネットワークデバイスのうちの少なくともいくつかは、アクセスノードコントローラ(ANC:access node controller)の一例であってよいアクセスネットワークエンティティなどの下位構成要素を含んでよい。各アクセスネットワークエンティティは、ラジオヘッド、スマートラジオヘッド、または送信/受信ポイント(TRP:transmission/reception point)と呼ばれることがあるいくつかの他のアクセスネットワーク送信エンティティを通じて、UE115と通信し得る。いくつかの構成では、各アクセスネットワークエンティティまたは基地局105の様々な機能は、様々なネットワークデバイス(たとえば、ラジオヘッドおよびアクセスネットワークコントローラ)にわたって分散されてよく、または単一のネットワークデバイス(たとえば、基地局105)の中に統合されてもよい。
【００５８】
ワイヤレス通信システム100は、通常は300MHz〜300GHzの範囲の中の、1つまたは複数の周波数帯域を使用して動作し得る。概して、300MHzから3GHzまでの領域は、波長がほぼ1デシメートル〜1メートルの長さに及ぶので、極超短波(UHF)領域またはデシメートル帯域と呼ばれる。UHF波は、建物および環境特性によって遮断または方向転換されることがある。しかしながら、その波は、屋内に位置するUE115にマクロセルがサービスを提供するのに十分に、構造を貫通し得る。UHF波の送信は、300MHzよりも下のスペクトルの短波(HF)部分または超短波(VHF)部分のより低い周波数およびより長い波を使用する送信と比較して、より小型のアンテナおよびより短い距離(たとえば、100km未満)に関連し得る。
【００５９】
ワイヤレス通信システム100はまた、センチメートル帯域とも呼ばれる、3GHzから30GHzまでの周波数帯域を使用する超高周波(SHF)領域の中で動作し得る。SHF領域は、他のユーザからの干渉を許容できるデバイスによって機会主義的に使用され得る5GHz産業科学医療(ISM)バンドなどの帯域を含む。
【００６０】
ワイヤレス通信システム100はまた、ミリメートル帯域とも呼ばれる、(たとえば、30GHzから300GHzまでの)スペクトルの極高周波(EHF)領域の中で動作し得る。いくつかの例では、ワイヤレス通信システム100は、UE115と基地局105との間のミリ波(mmW)通信をサポートし得、それぞれのデバイスのEHFアンテナは、UHFアンテナよりもさらに小型であってよく密に離間され得る。場合によっては、このことは、UE115内でのアンテナアレイの使用を容易にし得る。しかしながら、EHF送信の伝播は、SHF送信またはUHF送信よりもさらに大きい大気減衰を受けることがあり距離がより短いことがある。本明細書で開示する技法は、1つまたは複数の異なる周波数領域を使用する送信にわたって採用されてよく、これらの周波数領域にわたる帯域の指定される使用は、国または規制団体によって異なることがある。
【００６１】
場合によっては、ワイヤレス通信システム100は、認可無線周波数スペクトル帯域と無認可無線周波数スペクトル帯域の両方を利用し得る。たとえば、ワイヤレス通信システム100は、5GHz ISMバンドなどの無認可帯域の中で、ライセンス支援型アクセス(LAA:License Assisted Access)、LTE無認可(LTE-U:LTE-Unlicensed)無線アクセス技術、またはNR技術を採用し得る。無認可無線周波数スペクトル帯域の中で動作するとき、基地局105およびUE115などのワイヤレスデバイスは、データを送信する前に周波数チャネルがクリアであることを保証するために、リッスンビフォアトーク(LBT:listen-before-talk)プロシージャを採用し得る。場合によっては、無認可帯域の中での動作は、認可帯域の中で動作するCCとともにCA構成に基づいてよい(たとえば、LAA)。無認可スペクトルの中での動作は、ダウンリンク送信、アップリンク送信、ピアツーピア送信、またはこれらの組合せを含んでよい。無認可スペクトルの中での複信は、周波数分割複信(FDD)、時分割複信(TDD)、またはその両方の組合せに基づいてよい。
【００６２】
いくつかの例では、基地局105またはUE115は、複数のアンテナを装備してよく、そうしたアンテナは、送信ダイバーシティ、受信ダイバーシティ、多入力多出力(MIMO)通信、またはビームフォーミングなどの技法を採用するために使用され得る。たとえば、ワイヤレス通信システム100は、送信デバイス(たとえば、基地局105)と受信デバイス(たとえば、UE115)との間の送信方式を使用してよく、ここで、送信デバイスは、複数のアンテナを装備し、受信デバイスは、1つまたは複数のアンテナを装備する。MIMO通信は、マルチパス信号伝播を採用して、空間レイヤを介して複数の信号を送信または受信することによってスペクトル効率を高めてよく、そのことは、空間多重化と呼ばれることがある。複数の信号は、たとえば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、別個の空間ストリームと呼ばれることがあり、同じデータストリーム(たとえば、同じコードワード)または異なるデータストリームに関連するビットを搬送し得る。異なる空間レイヤは、チャネル測定および報告のために使用される異なるアンテナポートに関連付けられてよい。MIMO技法は、複数の空間レイヤが同じ受信デバイスへ送信されるシングルユーザMIMO(SU-MIMO)、および複数の空間レイヤが複数のデバイスへ送信されるマルチユーザMIMO(MU-MIMO)を含む。
【００６３】
空間フィルタ処理、指向性送信、または指向性受信と呼ばれることもあるビームフォーミングは、送信デバイスと受信デバイスとの間の空間経路に沿ってアンテナビーム(たとえば、送信ビームまたは受信ビーム)を整形またはステアリングするために、送信デバイスまたは受信デバイス(たとえば、基地局105またはUE115)において使用され得る信号処理技法である。ビームフォーミングは、アンテナアレイに対して特定の配向において伝播する信号が、強め合う干渉に遭遇し、他の信号が、弱め合う干渉に遭遇するように、アンテナアレイのアンテナ素子を介して通信される信号を組み合わせることによって達成され得る。アンテナ素子を介して通信される信号の調整は、送信デバイスまたは受信デバイスが、デバイスに関連するアンテナ素子の各々を介して搬送される信号に、一定の振幅および位相オフセットを適用することを含んでよい。アンテナ素子の各々に関連する調整は、(たとえば、送信デバイスもしくは受信デバイスのアンテナアレイに対して、またはいくつかの他の配向に対して)特定の配向に関連付けられたビームフォーミング重みセットによって規定され得る。
【００６４】
一例では、基地局105は、UE115との指向性通信のためのビームフォーミング動作を行うために、複数のアンテナまたはアンテナアレイを使用し得る。たとえば、いくつかの信号(たとえば、同期信号、基準信号、ビーム選択信号、または他の制御信号)は、異なる方向で基地局105によって複数回送信されてよく、それらは、送信の異なる方向に関連付けられた異なるビームフォーミング重みセットに従って送信されている信号を含んでよい。異なるビーム方向での送信は、基地局105による後続の送信および/または受信のためのビーム方向を(たとえば、基地局105、またはUE115などの受信デバイスによって)識別するために使用され得る。特定の受信デバイスに関連するデータ信号などのいくつかの信号は、単一のビーム方向(たとえば、UE115などの受信デバイスに関連する方向)で、基地局105によって送信され得る。いくつかの例では、単一のビーム方向に沿った送信に関連するビーム方向は、異なるビーム方向で送信された信号に少なくとも部分的に基づいて決定され得る。たとえば、UE115は、異なる方向で基地局105によって送信された信号のうちの1つまたは複数を受信し得、UE115は、最も高い信号品質またはさもなければ許容可能な信号品質を伴って受信した信号の表示を、基地局105に報告し得る。これらの技法は、基地局105によって1つまたは複数の方向で送信される信号を参照しながら説明されるが、UE115は、(たとえば、UE115による後続の送信または受信のためのビーム方向を識別するために)異なる方向で信号を複数回送信するか、または(受信デバイスへデータを送信するために)単一の方向で信号を送信するために、類似の技法を採用し得る。
【００６５】
受信デバイス(たとえば、mmW受信デバイスの一例であってよいUE115)は、同期信号、基準信号、ビーム選択信号、または他の制御信号などの様々な信号を基地局105から受信するとき、複数の受信ビームを試みてよい。たとえば、受信デバイスは、異なるアンテナサブアレイを介して受信することによって、異なるアンテナサブアレイに従って受信信号を処理することによって、アンテナアレイの複数のアンテナ素子において受信される信号に適用される異なる受信ビームフォーミング重みセットに従って受信することによって、またはアンテナアレイの複数のアンテナ素子において受信される信号に適用される異なる受信ビームフォーミング重みセットに従って受信信号を処理することによって、複数の受信方向を試みてよく、それらのいずれも、異なる受信ビームまたは受信方向による「聴取」と呼ばれることがある。いくつかの例では、受信デバイスは、(たとえば、データ信号を受信するとき)単一のビーム方向に沿って受信するために単一の受信ビームを使用し得る。単一の受信ビームは、異なる受信ビーム方向による聴取に少なくとも部分的に基づいて決定されたビーム方向(たとえば、複数のビーム方向による聴取に少なくとも部分的に基づいて、最大信号強度、最大信号対雑音比、またはさもなければ許容可能な信号品質を有すると決定されたビーム方向)に位置合わせされ得る。
【００６６】
場合によっては、基地局105またはUE115のアンテナは、MIMO動作をサポートし得るか、またはビームフォーミングを送信もしくは受信し得る、1つまたは複数のアンテナアレイ内に位置し得る。たとえば、1つまたは複数の基地局アンテナまたはアンテナアレイが、アンテナタワーなどのアンテナアセンブリにおいて一緒に置かれてよい。場合によっては、基地局105に関連するアンテナまたはアンテナアレイは、多様な地理的ロケーションに位置し得る。基地局105は、基地局105がUE115との通信のビームフォーミングをサポートするために使用し得るアンテナポートのいくつかの行および列を有するアンテナアレイを有してよい。同様に、UE115は、様々なMIMO動作またはビームフォーミング動作をサポートし得る1つまたは複数のアンテナアレイを有してよい。
【００６７】
場合によっては、ワイヤレス通信システム100は、階層化プロトコルスタックに従って動作するパケットベースネットワークであってよい。ユーザプレーンでは、ベアラまたはパケットデータコンバージェンスプロトコル(PDCP)レイヤにおける通信は、IPベースであってよい。無線リンク制御(RLC)レイヤは、場合によっては、論理チャネルを介して通信するためのパケットセグメント化および再アセンブリを実行し得る。メディアアクセス制御(MAC)レイヤは、優先度処理およびトランスポートチャネルへの論理チャネルの多重化を実行し得る。MACレイヤはまた、MACレイヤにおいて再送信を行ってリンク効率を改善するために、HARQを使用し得る。制御プレーンでは、無線リソース制御(RRC)プロトコルレイヤが、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルは、物理チャネルにマッピングされ得る。
【００６８】
場合によっては、UE115および基地局105は、データの受信に成功する尤度を高めるために、データの再送信をサポートし得る。HARQフィードバックとは、データがワイヤレス通信リンク125を介して正しく受信される尤度を高める1つの技法である。HARQは、(たとえば、巡回冗長検査(CRC)を使用する)誤り検出、前方誤り訂正(FEC)、および再送信(たとえば、自動再送要求(ARQ))の組合せを含んでよい。HARQは、劣悪な無線条件(たとえば、信号対雑音条件)の中でMACレイヤにおけるスループットを改善し得る。いくつかの場合には、ワイヤレスデバイスは、スロットの中の前のシンボルの中で受信されたデータ用の特定のスロットの中でデバイスがHARQフィードバックを提供し得る、同一スロットHARQフィードバックをサポートし得る。他の場合には、デバイスは、後続のスロットの中で、またはいくつかの他の時間間隔に従って、HARQフィードバックを提供し得る。
【００６９】
LTEまたはNRにおける時間間隔は、たとえば、Ts=1/30,720,000秒のサンプリング期間を指すことがある、基本時間単位の倍数で表現され得る。通信リソースの時間間隔は、各々が10ミリ秒(ms)の持続時間を有する無線フレームに従って編成されてよく、ただし、フレーム期間は、Tf=307,200Tsとして表現され得る。無線フレームは、0から1023までに及ぶシステムフレーム番号(SFN:system frame number)によって識別され得る。各フレームは、0から9まで番号付けされた10個のサブフレームを含んでよく、各サブフレームは、1msの持続時間を有してよい。サブフレームは、各々が0.5msの持続時間を有する2つのスロットにさらに分割されてよく、各スロットは、(たとえば、各シンボル期間の先頭に追加されるサイクリックプレフィックスの長さに応じて)6個または7個の変調シンボル期間を含んでよい。サイクリックプレフィックスを除いて、各シンボル期間は、2048個のサンプル期間を含んでよい。いくつかの場合には、サブフレームは、ワイヤレス通信システム100の最小スケジューリング単位であってよく、送信時間間隔(TTI)と呼ばれることがある。他の場合には、ワイヤレス通信システム100の最小スケジューリング単位は、サブフレームよりも短くてよく、または(たとえば、短縮TTI(sTTI:shortened TTI)のバーストの中で、またはsTTIを使用する選択されたコンポーネントキャリアの中で)動的に選択されてもよい。
【００７０】
いくつかのワイヤレス通信システムでは、スロットは、1つまたは複数のシンボルを含む複数のミニスロットにさらに分割されてよい。いくつかの事例では、ミニスロットのシンボル、またはミニスロットは、スケジューリングの最小単位であってよい。各シンボルは、たとえば、動作のサブキャリア間隔または周波数帯域に応じて、持続時間が変わることがある。さらに、いくつかのワイヤレス通信システムは、複数のスロットまたはミニスロットが一緒にアグリゲートされ、UE115と基地局105との間の通信のために使用される、スロットアグリゲーションを実施し得る。
【００７１】
「キャリア」という用語は、通信リンク125を介した通信をサポートするための規定された物理レイヤ構造を有する、無線周波数スペクトルリソースのセットを指す。たとえば、通信リンク125のキャリアは、所与の無線アクセス技術のための物理レイヤチャネルに従って動作させられる無線周波数スペクトル帯域の一部分を含んでよい。各物理レイヤチャネルは、ユーザデータ、制御情報、または他のシグナリングを搬送し得る。キャリアは、事前定義された周波数チャネル(たとえば、E-UTRA絶対無線周波数チャネル番号(EARFCN:E-UTRA absolute radio frequency channel number))に関連付けられてよく、UE115による発見のためのチャネルラスタに従って配置され得る。キャリアは、(たとえば、FDDモードでは)ダウンリンクもしくはアップリンクであってよく、または(たとえば、TDDモードでは)ダウンリンク通信およびアップリンク通信を搬送するように構成され得る。いくつかの例では、キャリアを介して送信される信号波形は、(たとえば、直交周波数分割多重化(OFDM)またはDFT-s-OFDMなどのマルチキャリア変調(MCM:multi-carrier modulation)技法を使用して)複数のサブキャリアから構成され得る。
【００７２】
キャリアの組織構造は、異なる無線アクセス技術(たとえば、LTE、LTE-A、NRなど)に対して異なってよい。たとえば、キャリアを介した通信は、TTIまたはスロットに従って編成されてよく、それらの各々は、ユーザデータ、ならびにユーザデータの復号をサポートするための制御情報またはシグナリングを含んでよい。キャリアはまた、専用の捕捉シグナリング(たとえば、同期信号またはシステム情報など)、およびキャリアに対する動作を協調させる制御シグナリングを含んでよい。いくつかの例では(たとえば、キャリアアグリゲーション構成では)、キャリアはまた、他のキャリアに対する動作を協調させる捕捉シグナリングまたは制御シグナリングを有してよい。
【００７３】
物理チャネルは、様々な技法に従ってキャリア上で多重化され得る。物理制御チャネルおよび物理データチャネルは、たとえば、時分割多重化(TDM)技法、周波数分割多重化(FDM)技法、またはハイブリッドTDM-FDM技法を使用して、ダウンリンクキャリア上で多重化され得る。いくつかの例では、物理制御チャネルの中で送信される制御情報は、カスケード方式で異なる制御領域の間で(たとえば、共通制御領域または共通探索空間と1つまたは複数のUE固有制御領域またはUE固有探索空間との間で)分散されてよい。
【００７４】
キャリアは、無線周波数スペクトルの特定の帯域幅に関連してよく、いくつかの例では、キャリア帯域幅は、キャリアまたはワイヤレス通信システム100の「システム帯域幅」と呼ばれることがある。たとえば、キャリア帯域幅は、特定の無線アクセス技術のキャリア用のいくつかの所定の帯域幅(たとえば、1.4、3、5、10、15、20、40、または80MHz)のうちの1つであってよい。いくつかの例では、サービスされる各UE115は、キャリア帯域幅の部分または全部を介して動作するために構成され得る。他の例では、いくつかのUE115は、キャリア内の既定の部分または範囲(たとえば、サブキャリアまたはRBのセット)に関連する狭帯域プロトコルタイプを使用する動作のために構成され得る(たとえば、狭帯域プロトコルタイプの「帯域内」展開)。
【００７５】
MCM技法を採用するシステムでは、リソース要素は、1つのシンボル期間(たとえば、1つの変調シンボルの持続時間)および1つのサブキャリアからなってよく、ここで、シンボル期間およびサブキャリア間隔は、逆の関係にある。各リソース要素によって搬送されるビット数は、変調方式(たとえば、変調方式の次数)に依存し得る。したがって、UE115が受信するリソース要素が多いほど、かつ変調方式の次数が高いほど、UE115に対してデータレートが高くなり得る。MIMOシステムでは、ワイヤレス通信リソースとは、無線周波数スペクトルリソース、時間リソース、および空間リソース(たとえば、空間レイヤ)の組合せを指すことがあり、複数の空間レイヤの使用が、UE115との通信のためのデータレートをさらに高め得る。
【００７６】
ワイヤレス通信システム100のデバイス(たとえば、基地局105またはUE115)は、特定のキャリア帯域幅を介した通信をサポートするハードウェア構成を有してよく、またはキャリア帯域幅のセットのうちの1つを介した通信をサポートするように構成可能であり得る。いくつかの例では、ワイヤレス通信システム100は、2つ以上の異なるキャリア帯域幅に関連するキャリアを介した同時通信をサポートできる基地局105および/またはUEを含んでよい。
【００７７】
ワイヤレス通信システム100は、複数のセルまたはキャリア上でのUE115との通信、すなわち、キャリアアグリゲーション(CA:carrier aggregation)またはマルチキャリア動作と呼ばれることがある機能をサポートし得る。UE115は、キャリアアグリゲーション構成に従って、複数のダウンリンクCCおよび1つまたは複数のアップリンクCCを用いて構成され得る。キャリアアグリゲーションは、FDDコンポーネントキャリアとTDDコンポーネントキャリアの両方とともに使用され得る。
【００７８】
場合によっては、ワイヤレス通信システム100は、拡張コンポーネントキャリア(eCC:enhanced component carrier)を利用し得る。eCCは、より広いキャリアもしくは周波数チャネル帯域幅、より短いシンボル持続時間、より短いTTI持続時間、または修正された制御チャネル構成を含む、1つまたは複数の特徴によって特徴づけられ得る。場合によっては、eCCは、(たとえば、複数のサービングセルが準最適または非理想的なバックホールリンクを有するとき)キャリアアグリゲーション構成またはデュアル接続性構成に関連し得る。eCCはまた、(たとえば、2つ以上の事業者がスペクトルを使用することを許容される場合)無認可スペクトルまたは共有スペクトルでの使用のために構成され得る。広いキャリア帯域幅によって特徴づけられるeCCは、全キャリア帯域幅を監視することが可能でないか、またはさもなければ(たとえば、電力を節約するために)限定されたキャリア帯域幅を使用するように構成される、UE115によって利用され得る1つまたは複数のセグメントを含んでよい。
【００７９】
場合によっては、eCCは、他のCCとは異なるシンボル持続時間を利用してよく、そのことは、他のCCのシンボル持続時間と比較して短縮されたシンボル持続時間の使用を含んでよい。より短いシンボル持続時間は、隣接するサブキャリア間の間隔の増大に関連し得る。eCCを利用する、UE115または基地局105などのデバイスは、短縮されたシンボル持続時間(たとえば、16.67マイクロ秒)において広帯域信号を(たとえば、周波数チャネル、または20、40、60、80MHzなどのキャリア帯域幅に従って)送信し得る。eCCの中のTTIは、1つまたは複数のシンボルからなり得る。場合によっては、TTI持続時間(すなわち、TTIの中のシンボル期間の数)は可変であってよい。
【００８０】
NRシステムなどのワイヤレス通信システムは、特に、認可スペクトル、共有スペクトル、および無認可スペクトル帯域の任意の組合せを利用し得る。eCCシンボル持続時間およびサブキャリア間隔のフレキシビリティにより、複数のスペクトルにわたるeCCの使用が可能になり得る。いくつかの例では、特にリソースの動的な(たとえば、周波数にわたる)垂直共有および(たとえば、時間にわたる)水平共有を通じて、NR共有スペクトルは、スペクトル利用率およびスペクトル効率を高め得る。
【００８１】
基地局105のうちの1つまたは複数は、基地局通信マネージャ101を含んでよい。基地局通信マネージャ101は、UE115のうちの1つまたは複数へDCIを送信するように構成され得る。DCIは、アグリゲートTTIのセットを介したトランスポートブロックの送信をスケジュールしてよく、たとえば、DCIは、トランスポートブロックの通信のために、時間的に連続している2つ以上のTTI(たとえば、スロット、ミニスロットなど)を特定のUEに割り振ってよい。
【００８２】
基地局通信マネージャ101は、冗長バージョン系列のインジケータを生成するようにさらに構成され得る。インジケータは、たとえば、ビット系列であってよい。いくつかの例では、冗長バージョン系列のインジケータは、RV系列の中の各RVの順序、冗長バージョン系列の中の開始冗長バージョンなどを識別し得る。基地局通信マネージャ101は、DCIの中で、または別の通信、たとえば、無線リソース制御(RRC)シグナリングの中で、冗長バージョン系列のインジケータを送信し得る。
【００８３】
UE115のうちの1つまたは複数は、UE通信マネージャ102を含んでよい。UE通信マネージャ102は、制御チャネルの中で基地局105から受信されたDCIを処理するように構成され得る。UE通信マネージャ102は、トランスポートブロック(TB:transport block)の通信のためにUE115に割り振られているいくつかのアグリゲートTTIを識別するために、DCIを処理し得る。TTIは、スロット、ミニスロットなどであってよい。UE通信マネージャ102は、たとえば、DCIの一部として、RRCシグナリングの一部として、または基地局105からの別の通信の中で、基地局105から冗長バージョン系列のインジケータを受信するようにさらに構成され得る。いくつかの例では、冗長バージョン系列のインジケータは、冗長バージョン系列の中の開始冗長バージョンを識別するインジケータであってよい。
【００８４】
UE通信マネージャ102は、トランスポートブロック用の冗長バージョン系列を決定するようにさらに構成され得る。いくつかの例では、冗長バージョン系列は、UE115において局所的に、またはさもなければUE115によってアクセス可能に記憶される、規定された冗長バージョン系列であってよい。いくつかの他の例では、冗長バージョン系列は、系列基準に少なくとも部分的に基づいて決定され得る(たとえば、基地局105からの上位レイヤシグナリングによって構成され得る)。いくつかの例では、系列基準は、性能基準であってよい。いくつかの他の例では、系列基準は、自己復号可能性基準であってよい。そのような例では、識別される冗長バージョン系列は、トランスポートブロックの同じ冗長バージョンの反復(たとえば、{0,3,0,3}または{0,0,0,0})、またはトランスポートブロックの反転された冗長バージョン(たとえば、{0,0R,0,0R}、ただし、0Rは変調シンボル内でのビット反転を伴う冗長バージョン0である)を含んでよい。
【００８５】
UE通信マネージャ102は、冗長バージョン系列に少なくとも部分的に基づいて、TTIのセットの中でトランスポートブロックの冗長バージョンのセットを送信または受信するようにさらに構成され得る。いくつかの例では、送信または受信は、識別された開始冗長バージョンに少なくとも部分的に基づいてよい。いくつかの例では、送信または受信は、TTIの第1のセットおよびTTIの第2のセットを伴ってよく、TTIの第2のセットは、トランスポートブロックの冗長バージョンの再送信であってよい。TTIの2つのセットは、トランスポートブロックの同じ冗長バージョンを含んでよく、またはトランスポートブロックの異なる冗長バージョンを含んでよい。
【００８６】
UE通信マネージャ102は、トランスポートブロックのRVの反復を通信するためのブロックサイズを決定するようにさらに構成され得る。いくつかの例では、UE通信マネージャ102は、冗長バージョンのブロック送信が許容されるかどうか(たとえば、RV巡回が許容されるかどうか)を最初に決定し得る。そのような決定は、アグリゲーションレベル、コードレート、またはそれらの組合せに少なくとも部分的に基づいてよい。いくつかの例では、ブロック送信は、TTIのブロック(たとえば、TTIのアグリゲートされたセット内のTTIのサブセット)を含んでよく、各ブロックは、ブロックサイズに少なくとも部分的に基づいて、冗長バージョンのいくつかの複製を含む。
【００８７】
冗長バージョンのブロック送信が許容されるとき、UE通信マネージャ102は、ブロックサイズ、たとえば、TTIの各ブロックの中に含まれ得る冗長バージョンの数を決定し得る。ブロックサイズは、冗長バージョン系列の中のRVの数およびトランスポートブロックの送信のために割り振られたTTIの数に少なくとも部分的に基づいて決定され得る。ブロック送信が許容される場合、UE通信マネージャ102は、アグリゲートTTIのセットが、トランスポートブロックのRVおよびTTIサブセット内のRVの反復を含む、1つまたは複数のTTIサブセットを含むことを決定する。
【００８８】
図2は、本開示の様々な態様による、異なる冗長バージョンを有するトランスポートブロックの反復送信を伴うマルチスロットスケジューリングをサポートするワイヤレス通信システム200の一例を示す。いくつかの例では、ワイヤレス通信システム200は、ワイヤレス通信システム100の態様を実施し得る。
【００８９】
ワイヤレス通信システム200は、第1のワイヤレスデバイス205および第2のワイヤレスデバイス210を含んでよい。いくつかの例では、第1のワイヤレスデバイス205は、図1を参照しながら説明したような基地局105の態様の一例であってよく、第2のワイヤレスデバイス210は、図1を参照しながら説明したようなUE115の態様の一例であってよい。
【００９０】
第1のワイヤレスデバイス205は、ワイヤレス通信システム200の中での送信をスケジュールし得る。詳細には、第1のワイヤレスデバイス205は、ワイヤレス通信システム200の中の他のワイヤレスデバイスにTTIを割り振ってよい。TTIは、たとえば、スロット、ミニスロットなどであってよい。第1のワイヤレスデバイス205は、2つ以上の連続するTTIを特定のワイヤレスデバイスに割り振ってよい。たとえば、第1のワイヤレスデバイス205は、少なくとも第1のスロット(スロット0)および第2のスロット(スロット1)を第2のワイヤレスデバイス210に割り振ってよい。いくつかの例では、各スロットは、14シンボルを含んでよい。
【００９１】
いくつかの例では、第1のワイヤレスデバイス205は、各TTI(たとえば、各スロット)を個別に割り振るために、単一のTTIスケジューリング(たとえば、単一のスロットスケジューリング)を使用し得る。たとえば、第1のワイヤレスデバイス205は、第1の制御チャネル215と示されてよいTTIの第1の部分の中で、制御信号を第2のワイヤレスデバイス210へ送ってよい。制御信号は、第1のスロットに対するスケジューリング許可を含んでよい。第2のワイヤレスデバイス210は、第1の共有データチャネル220と示されてよい第1のTTIの残部の中で、データを送信してよい。共有データチャネルは、たとえば、物理ダウンリンク共有チャネル(PDSCH:physical downlink shared channel)または物理アップリンク共有チャネル(PUSCH:physical uplink shared channel)であってよい。第1のワイヤレスデバイス205は、次いで、第2の制御チャネル225の中で第2の制御信号を第2のワイヤレスデバイス210へ送信してよい。制御信号は、第2のスロットに対するスケジューリング許可を含んでよい。第2のワイヤレスデバイス210は、第2の共有データチャネル230の中でデータを送信してよい。
【００９２】
いくつかの他の例では、第1のワイヤレスデバイス205は、単一の制御送信の中で2つ以上の連続するTTIを割り振るために、TTIアグリゲーション技法を使用し得る。いくつかの例では、TTIアグリゲーション技法は、スロットアグリゲーション技法、ミニスロットアグリゲーション技法などであってよい。たとえば、第1のワイヤレスデバイス205は、制御チャネル235の中で第2のワイヤレスデバイス210へDCIを送信し得る。いくつかの例では、DCIは、14シンボル(0〜13)を有するスロットの最初の2シンボル(シンボル0〜1)の中で送信され得る。DCIは、2つ以上の連続するTTIを第2のワイヤレスデバイス210に割り振るスケジューリング情報(たとえば、スケジューリング許可またはアクティブ化インジケータ)を含んでよい。2つ以上の連続するTTIの割り振られるセットは、本明細書でアグリゲートTTIのセットと呼ばれることがある。たとえば、スケジューリング許可は、第1のスロットの残りのシンボル(たとえば、シンボル2〜13)および第2のスロットのすべてのシンボル(たとえば、シンボル0〜13)を第2のワイヤレスデバイス210に割り振ってよい。スケジューリング許可は、第2のワイヤレスデバイス210が、割り振られたTTI、たとえば、共有データチャネル240の中で、第1のワイヤレスデバイス205へデータを送信すべきであること、または第1のワイヤレスデバイス205からデータを受信すべきであることを示してよい。
【００９３】
TTIアグリゲーション技法を使用すると、第1のワイヤレスデバイス205は、トランスポートブロックが複数のTTI、たとえば、複数のスロットに広がる、単一のトランスポートブロックに対する送信をスケジュールし得る。いくつかの例では、単一のトランスポートブロックは、14シンボルのスロットであってよい、参照事例のサイズに限定され得る。いくつかの例では、複数のスロットに広がるトランスポートブロックは、トランスポートブロックの反復を含んでよい。いくつかの例では、トランスポートブロックの反復は、冗長バージョン系列に従ってよい。
【００９４】
したがって、いくつかの例では、アグリゲートTTIの中で送信されるデータは、同じトランスポートブロックの2つ以上の冗長バージョン(RV:redundancy version)を含んでよい。トランスポートブロックの冗長バージョンは、情報ビット、およびパリティビットなどの非情報ビットの、組合せであってよい。トランスポートブロックの各冗長バージョンは、情報ビットおよび非情報ビットの異なる組合せを含んでよい。情報ビットおよび非情報ビットの異なる組合せは、たとえば、チェース合成またはインクリメンタル冗長HARQプロシージャにおいて使用され得る。
【００９５】
たとえば、いくつかのHARQ方式(たとえば、タイプII HARQ)では、送信および再送信は、情報ビット、誤り検出パリティビット(たとえば、CRCビット)、およびFECパリティビットの様々な組合せの間で交代してよい。誤り検出パリティビットおよびFECパリティビットは、マザーコードレート(MCR:mother code rate)に基づいて、(たとえば、ターボコードを使用して)情報ビットから生成され得る。いくつかの通信システムは、HARQ方式での送信および再送信に対して、情報ビットおよびパリティビットの異なる組合せのセットを使用し得る。これらの異なる組合せは、冗長バージョン(RV)と呼ばれることがある。たとえば、第1のRVは、主に情報(たとえば、組織的な)ビットを含んでよいが、第2のRVは、主にパリティビットを含んでよい。異なるRV(たとえば、または同じRVの異なるバージョン)は、トランスポートブロックの復号に成功する尤度を高めるために、インクリメンタル冗長(IR:incremental redundancy)と呼ばれるプロセスの中で組み合わせられてよい。
【００９６】
いくつかの例では、2つ以上のRVが、RV系列に従って送信されてよい(たとえば、トランスポートブロックに対して4つの異なるRVの系列が利用可能であり得る)。たとえば、第2のワイヤレスデバイス210は、RV系列(たとえば、{3,1,0,2})を用いて事前構成され得る。たとえば、RV系列は、標準仕様によって規定されてよく、第2のワイヤレスデバイス210において記憶されてよい。他の例では、RV系列は、系列基準に少なくとも部分的に基づいて上位レイヤシグナリングによって構成され得る。系列基準は、たとえば、性能基準または自己復号可能性基準であってよい。性能基準は、ワイヤレスデバイスの性能に関係する任意の基準であってよい。
【００９７】
自己復号可能性基準は、RVに基づいてトランスポートブロックを復号するためのワイヤレスデバイスの能力に関係する任意の基準であってよい。いくつかの例では、自己復号可能性基準に基づくRV系列は、共有データチャネル240が同じRVの2つ以上の複製を含み得るように、共有データチャネル240を形成するアグリゲートTTIのセット内で1回または複数回、同じRVが反復されることを示してよい。たとえば、自己復号可能性基準に基づく可能なRV系列は、{0,2,3,2}、{0,3,0,3}、または{0,0,0,0}を含み得る。いくつかの例では、自己復号可能性基準に基づくRV系列は、RV、およびRVの変調シンボル内でのビット反転を含んでよい。たとえば、RV系列は、{0,0R,0,0R}であってよく、ただし、0Rは、変調シンボル内でのビット反転を伴うRV0である。
【００９８】
いくつかの例では、第1のワイヤレスデバイス205は、開始RVのインジケータを第2のワイヤレスデバイス210へ送信し得る。インジケータは、たとえば、開始RVを識別する、ビット系列であってよい。開始RVのインジケータは、たとえば、DCIの一部として、制御チャネル235の中で送信され得る。いくつかの他の例では、開始RVのインジケータは、異なる通信の中で、たとえば、無線リソース制御(RRC)シグナリングの中で、送信され得る。開始RVのインジケータは、共有データチャネル240内でのRV系列のRVの順序を示すための、RV系列の中の開始RVの識別情報であってよい。開始RVは、RV系列の最初のRV以外のRVが、アグリゲートTTIのセット内で最初に送信または受信されていることを示してよい(たとえば、制御情報の直後に通信されるべき最初のRV)。いくつかの他の例では、開始RVのインジケータは、開始RVに対応するコードであってよい。RV系列のRVは、示された開始RVから始めて共有データチャネル240の中で送信または受信され得る。たとえば、RV系列が{3,1,0,2}であり、かつRV0が開始RVであることを第1のワイヤレスデバイス205が示す場合、第2のワイヤレスデバイス210は、共有データチャネル240の中で、RV0と、それに後続するRV2、RV3、およびRV1とを送信または受信し得る。別の例では、RV系列が{3,1,0,2}であり、かつRV1が開始RVであることを第1のワイヤレスデバイス205が示す場合、第2のワイヤレスデバイス210は、共有データチャネル240の中で、RV1と、それに後続するRV0、RV2、およびRV3とを送信または受信し得る。比較のために、開始RVがDCIの中で(または、別様に)示されない場合、RVは、RV系列の中で提供される順序で(たとえば、RV3と、それに後続するRV1、RV0、およびRV2)、アグリゲートTTI内で送信または受信され得る。
【００９９】
図3は、本開示の様々な態様による、異なる冗長バージョンを有するトランスポートブロックの反復送信を伴うマルチスロットスケジューリングをサポートするワイヤレス通信システムにおけるプロセスフロー300の一例を示す。いくつかの例では、プロセスフロー300は、ワイヤレス通信システム100の態様を実施し得る。
【０１００】
プロセスフロー300は、第1のワイヤレスデバイス305と第2のワイヤレスデバイス310との間の例示的な通信を示す。第1のワイヤレスデバイス305は、図1を参照しながら説明したようなUE115の態様の一例であってよい。第2のワイヤレスデバイス310は、図1を参照しながら説明したような基地局105の態様の一例であってよい。
【０１０１】
第2のワイヤレスデバイス310は、ダウンリンク制御情報315を第1のワイヤレスデバイス305へ送信し得る。ダウンリンク制御情報315は、第1のワイヤレスデバイス305用のスケジューリング情報を含んでよい。たとえば、ダウンリンク制御情報315は、第1のワイヤレスデバイス305がその間に送信し得る1つまたは複数のTTIを識別し得る。いくつかの他の例では、スケジューリング情報は、第1のワイヤレスデバイス305がアグリゲートTTI中にデータを受信すべきであることを示してよい。TTIは、たとえば、1つまたは複数のスロット、1つまたは複数のミニスロットなどであってよい。
【０１０２】
第2のワイヤレスデバイス310はまた、冗長バージョン(RV)構成情報320を第1のワイヤレスデバイスへ送信し得る。RV構成情報320は、たとえば、冗長バージョン系列のインジケータ、冗長バージョン系列の中の開始RVのインジケータなどを含んでよい。たとえば、第1のワイヤレスデバイス305は、RV系列のセットを記憶してよく、冗長バージョン系列のインジケータは、RV系列のセットのうちのどのRV系列を使用すべきかを示すインデックス(たとえば、ビット系列)を含んでよい。別の例では、RV構成情報320は、以下の順序{RV3、RV0、RV2、RV1}でRVを列挙するRV系列の中の開始RVとして、RV0を識別し得る。いくつかの他の例では、第2のワイヤレスデバイス310は、RV系列を選択するために系列基準を適用し得る。いくつかの例では、(たとえば、DCI315のRVフィールドの中で)DCI315の一部として、RV構成情報320が送信され得る。いくつかの他の例では、RV構成情報320は、たとえば、無線リソース制御(RRC)シグナリングの一部として、DCI315から別々に送信され得る。
【０１０３】
第1のワイヤレスデバイス305は、325において、冗長バージョン系列を識別するためにインジケータを処理し得る。冗長バージョン系列は、(たとえば、標準設定団体によって記載される仕様の中で)規定されてよく、またはさもなければ第1のワイヤレスデバイスにおいて記憶されてよい。たとえば、RV系列は、{0,2,3,1}として規定され得る。いくつかの他の例では、第2のワイヤレスデバイス310は、RV系列を決定するために系列基準を適用し得る。RV系列は、上位レイヤシグナリングによって構成され得る。
【０１０４】
系列基準は、たとえば、性能基準または自己復号可能性基準であってよい。一例では、性能基準に基づくRV系列は、{0,2,3,1}であってよい。別の例では、自己復号可能性基準に基づくRV系列は、{0,3,2,1}であってよい。いくつかの例では、自己復号可能性基準に基づくRV系列は、同じRVの反復を含んでよい。たとえば、自己復号可能性基準に基づく可能なRV系列は、{0,2,3,2}、{0,3,0,3}、または{0,0,0,0}を含み得る。いくつかの例では、自己復号可能性基準に基づくRV系列は、RV、およびRVの変調シンボル内でのビット反転を含んでよい。たとえば、RV系列は、{0,0R,0,0R}であってよく、ただし、0Rは、変調シンボル内でのビット反転を伴うRV0である。
【０１０５】
第1のワイヤレスデバイス305は、330において、送信に対するブロックサイズを決定し得る。いくつかの例では、第1のワイヤレスデバイス305は、RVのブロック送信(たとえば、第1のワイヤレスデバイス305に割り振られたアグリゲートスロットのセット内のスロットのブロックの中でのRV巡回)が許容されるかどうかを最初に決定し得る。たとえば、第1のワイヤレスデバイス305は、アグリゲーションレベル、コードレート、またはそれらの組合せに少なくとも部分的に基づいて、RVのブロック送信が許容されるかどうかを決定し得る。アグリゲーションレベルとは、TTIのアグリゲートされたセット中に送信され得る冗長バージョンの数を指すことがある。たとえば、RV系列が4つのエントリ(たとえば、{0,2,3,1})を有するとき、第1のワイヤレスデバイス305は、TTIの数が8以上であるとブロック送信が許容されることを決定し得る。ブロック送信とは、アグリゲートTTIのセット内のTTIのサブセットの中で、RV、およびRVの少なくとも1つの反復を通信することを指すことがある。
【０１０６】
ブロック送信が許容されるかどうかを決定するために、第1のワイヤレスデバイス305は、たとえば、RV系列の中のRVの数に少なくとも部分的に基づいて、アグリゲートTTIのセット(たとえば、8個のTTI)を2つ以上のTTIサブセットに分割し得る。第1のワイヤレスデバイス305は、TTIサブセットの各々の中で送信され得る冗長バージョンの数に基づいて、ブロックサイズ(たとえば、TTIサブセットのサイズ)を決定し得る。たとえば、RV系列の中の4つの冗長バージョンに対して8個のTTIが利用可能であるとき、ブロックサイズは2であってよい。同様に、RV系列の中の4つの冗長バージョンに対して24個のTTIが利用可能であるとき、ブロックサイズは6であってよい。
【０１０７】
第1のワイヤレスデバイス305は、335において、冗長バージョン構成を決定し得る。RV構成は、開始RVのインジケータ、RV系列、ブロックサイズ、またはそれらの組合せのうちの1つまたは複数に基づいて決定され得る。たとえば、第1のワイヤレスデバイス305は、アグリゲートTTIのセット内で使用中であるRV系列が{0,2,3,1}であることを決定し得る。この例では、DCIのRVフィールドが、冒頭TTIに対する開始RVを示してよい。いくつかの例では、アグリゲートTTIのセットの中のTTIの数は、RV系列の中のRVの数と同じであってよい。開始RVのインジケータが開始RVとしてRV3を識別すると、第1のワイヤレスデバイス305は、RV3と、それに後続するRV1、RV0、およびRV2とを送信するように、RV送信を構成し得る。
【０１０８】
いくつかの他の例では、TTIの割り振られたセットの中のTTIの数は、RV系列の中のRVの数よりも少なくてよい。そのような例では、RVは、アグリゲートTTIの複数のセットの中で送信され得る。たとえば、TTIの割り振られたセットが2個のTTIを含むとき、RV系列は4つのRVを含み、RV3が開始RVとして識別され、第1のワイヤレスデバイス305は、第1のRV送信がアグリゲートTTIの第1のセットの中でRV3、RV1をトランスポートすること、および第2のRV送信(たとえば、再送信)がアグリゲートTTIの第2のセットの中でRV0、RV2をトランスポートすることを決定し得る。
【０１０９】
いくつかの他の例では、アグリゲートTTIの数は、RV系列の中のRVの数よりも多くてよい。たとえば、アグリゲートTTIの数は、12個であってよい。そのような例では、RVのブロック送信が許容されないとき、第1のワイヤレスデバイス305は、RV送信が3回反復する{3,1,0,2}というRV系列を(たとえば、3、1、0、2、3、1、0、2、3、1、0、2として)含むことを決定し得る。ブロック送信が許容されるとき、第1のワイヤレスデバイス305は、RV系列、たとえば、RV3のブロック、RV1のブロック、RV0のブロック、およびRV2のブロックに従って、各冗長バージョンのブロックを送信し得る。各ブロックは、ブロックサイズに基づいて、すなわち、3というブロックサイズを有する、いくつかの冗長バージョンを含んでよく、RV3のブロックは、RV3の3つの複製を含んでよい。たとえば、3というブロックサイズを用いると、第1のワイヤレスデバイス305は、3、3、3、1、1、1、0、0、0、2、2、2としてRV送信を構成し得る。
【０１１０】
第1のワイヤレスデバイス305は、次いで、決定されたRV系列に基づいて、トランスポートブロックの冗長バージョン340を送信または受信し得る。図示の例では、第1のワイヤレスデバイス305は、トランスポートブロックのRVを第2のワイヤレスデバイス310へ送信し得る。第2のワイヤレスデバイス310は、340においてトランスポートブロックの冗長バージョンを受信することに応答して、フィードバック345を提供し得る。いくつかの例では、フィードバック345は、受信されたトランスポートブロックが(たとえば、巡回冗長検査(CRC)を使用する)誤り検出をパスしたという、認識応答であってよい。いくつかの他の例では、フィードバック345は、受信されたトランスポートブロックが(たとえば、巡回冗長検査(CRC)を使用する)誤り検出をパスしなかったことを示す、否定応答(NACK)であってよい。NACKに応答して、第1のワイヤレスデバイス305は、トランスポートブロックの再送信350を送ってよい。いくつかの例では、再送信350は、340において元の送信の中で送信されたトランスポートブロックの同じ冗長バージョンを含んでよい。いくつかの他の例では、再送信350は、340において送られたトランスポートブロックの冗長バージョンとは異なる、トランスポートブロックの1つまたは複数の冗長バージョンを含んでよい。
【０１１１】
図4は、本開示の様々な態様による、異なる冗長バージョンを有するトランスポートブロックの反復送信を伴うマルチスロットスケジューリングをサポートするワイヤレス通信システムにおける冗長バージョン送信方式400の一例を示す。いくつかの例では、ワイヤレス通信システムは、ワイヤレス通信システム100の態様を実施し得る。
【０１１２】
RV送信方式400は、初期送信405において、また再送信435において、トランスポートブロックのRVの通信をサポートし得る。RV送信方式400は、スロット0〜3を含むTTIのアグリゲートされたセットの中での、トランスポートブロックのRVのセットの初期送信405を含んでよい。第1の制御チャネル410は、初期送信405の通信のために4個のTTIがアグリゲートされており第2のワイヤレスデバイスに割り振られることを示す、DCI(たとえば、スケジューリング情報)を含んでよい。図4におけるアグリゲートTTIのスケジューリングは、矢印によって表される。いくつかの例では、第1の制御チャネル410の中のDCIは、開始RV、たとえば、RV0を識別し得る。
【０１１３】
第2のワイヤレスデバイスは、スケジューリング情報の中で割り振られた4個のアグリゲートTTIの中で4つのRVを送信(または、受信)し得る。4個のアグリゲートTTIの中で送信されるRVは、RV系列に基づいて、かつ随意に開始RVに基づいて、決定され得る。たとえば、RV系列は、{3,1,0,2}であってよく、DCIは、RV系列の中の開始RVがRV0であることを示してよい。第2のワイヤレスデバイスは、第1のTTI415の中でRV0を、第2のTTI420の中でRV2を、第3のTTI425の中でRV3を、かつ第4のTTI430の中でRV1を送信(または、受信)し得る。
【０１１４】
RV送信方式400はまた、再送信435を含んでよい。再送信435は、初期送信405と同時に行われてよく、または初期送信405が誤り検出をパスしなかったことを示すフィードバックに応答して、後で通信されてもよい。一例では、第2の制御チャネル440は、初期送信405の中で送られたトランスポートブロックのRVの再送信に対するDCI(たとえば、スケジューリング情報)を含んでよい。第2の制御チャネル440は、再送信435(たとえば、スロット0〜3)に対して割り振られている4個のアグリゲートTTIを識別し得る。いくつかの例では、第2の制御チャネル440の中のスケジューリング情報は、再送信に対する開始RV、たとえば、初期送信405の中で示された開始RVとは異なるRV3を識別し得る。いくつかの他の例では、再送信は、第1の制御チャネル410の中で提供されるスケジューリング情報の中で識別されるものと同じ開始RVを使用し得る。
【０１１５】
第2のワイヤレスデバイスは、アグリゲートTTIの中の再送信435においてトランスポートブロックの4つのRVを送信(または、受信)し得る。再送信435の中で通信されるトランスポートブロックのRVは、初期送信405に対して使用された同じRV系列であってよいRV系列に少なくとも部分的に基づいて決定され得る。利用可能な4個のTTIの中で送信されるRVも、開始RVに少なくとも部分的に基づいて決定され得る。たとえば、同じRV系列{3,1,0,2}、およびRV3という開始RVを使用して、第2のワイヤレスデバイスは、第1の再送信TTI445の中でRV3を、第2の再送信TTI450の中でRV1を、第3の再送信TTI455の中でRV0を、かつ第4の再送信TTI460の中でRV2を送信し得る。
【０１１６】
図5は、本開示の様々な態様による、異なる冗長バージョンを有するトランスポートブロックの反復送信を伴うマルチスロットスケジューリングをサポートするワイヤレス通信システムにおける冗長バージョン送信方式500の一例を示す。いくつかの例では、ワイヤレス通信システムは、ワイヤレス通信システム100の態様を実施し得る。
【０１１７】
RV送信方式500は、アグリゲートTTIの同じセットの中でトランスポートブロックのRVのすべてを通信するのではなく、異なる送信におけるトランスポートブロックのRVの通信をサポートし得る。一例では、アグリゲートTTIの数は、RVの数よりも少なくてよく、RVは、アグリゲートTTIの異なるセットの中で通信されてよい。一例では、RV系列は、4つのRVを含んでよい。トランスポートブロックのRVの第1のサブセットは、アグリゲートTTIの第1のセットに対応する初期送信550の中で通信され得る。トランスポートブロックのRVの第2のサブセットは、アグリゲートTTIの第2のセットに対応する第2の送信555の中で通信され得る。第1および第2のRVサブセットは同じであってよく、部分的に異なってよく、または完全に異なってもよい。
【０１１８】
初期送信550の第1の制御チャネル505は、第2のワイヤレスデバイスによって送信または受信されるトランスポートブロックのRVの第1のサブセットに対するスケジューリング情報を含んでよい。図5におけるアグリゲートTTIのスケジューリングは、矢印によって表される。スケジューリング情報は、2つのTTIがアグリゲートされていることを識別し得る。
【０１１９】
第2のワイヤレスデバイスは、初期送信550用の2つのアグリゲートTTIの中でトランスポートブロックの2つのRVを送信または受信し得る。2つのアグリゲートTTIの中で送信されるRVは、RV系列および開始RVに基づいて決定され得る。たとえば、RV系列は、{3,1,0,2}であってよく、示される開始RVは、RV0であってよい。第2のワイヤレスデバイスは、第1のTTI510の中でRV0を、かつ第2のTTI515の中でRV2を送信(または、受信)し得る。いくつかの例では、TTIの各々の中に含まれるRVは、性能基準または自己復号可能性基準などの系列基準に基づいて変化し得る。
【０１２０】
RV送信方式500は、第2の送信555をさらに含んでよい。第2の制御チャネル520は、追加のTTIを第2のワイヤレスデバイスに割り振ってよい。いくつかの例では、(たとえば、第1のデバイスが、トランスポートブロックの受信または復号に成功しなかったので)第2の送信555は、初期送信550の再送信であってよい。いくつかの例では、再送信555は、初期送信550の中で通信された同じRVを含んでよい。
【０１２１】
他の例では、再送信555は、初期送信550の中で以前に送信されたものとは異なる少なくとも1つのRVを送信することを含んでよい。たとえば、第2のワイヤレスデバイスは、RV系列に従ってRVを送信し続けてよい。そのような一例では、第2のワイヤレスデバイスは、第1の再送信TTI525の中でRV3を送信してよく、第2の再送信TTI530の中でRV1を送信してよい。
【０１２２】
図6は、本開示の様々な態様による、異なる冗長バージョンを有するトランスポートブロックの反復送信を伴うマルチスロットスケジューリングをサポートするワイヤレス通信システムにおける冗長バージョン送信方式600の一例を示す。いくつかの例では、ワイヤレス通信システムは、ワイヤレス通信システム100の態様を実施し得る。
【０１２３】
RV送信方式600は、送信650の中でのRVのブロックベース送信をサポートし得、ここで、各ブロックは、送信650におけるトランスポートブロックの少なくとも1つのRVの反復を含む。一例では、第1の制御チャネル605は、8個のTTIがアグリゲートされており第2のワイヤレスデバイスに割り振られることを示す、スケジューリング情報を含んでよい。図6におけるアグリゲートTTIのスケジューリングは、矢印によって表される。
【０１２４】
第2のワイヤレスデバイスは、利用可能な8個のTTIの中でトランスポートブロックの8つのRVを送信(または、受信)し得る。利用可能な8個のTTIの中で送信されるRVは、RV系列および開始RVに基づいて決定され得る。たとえば、RV系列が{3,1,0,2}であり、かつ開始RVがRV0であるとき、第2のワイヤレスデバイスは、系列3、1、0、2、3、1、0、2を送信し得る。
【０１２５】
いくつかの他の例では、8個のアグリゲートTTIの中で送信されるRVは、RV系列、開始RV、およびブロックサイズ(たとえば、RV巡回が許容されるとき)に基づいて決定され得る。たとえば、規定されたRV系列は、{3,1,0,2}であってよく、開始RVは、RV0であってよく、ブロックサイズは、2であってよい。一例では、第2のワイヤレスデバイスは、第1のTTI610の中にRV0の第1の複製を、かつ第2のTTI615の中にRV0の第2の複製を含んでよい、RV0に対する第1のブロックを送信し得る。第2のワイヤレスデバイスは、次いで、第3のTTI620の中にRV2の第1の複製を、かつ第4のTTI625の中にRV2の第2の複製を含んでよい、RV2に対する第2のブロックを送信し得る。第2のワイヤレスデバイスは、次いで、第5のTTI630の中にRV3の第1の複製を、かつ第6のTTI635の中にRV3の第2の複製を含んでよい、RV3に対する第3のブロックを送信し得る。第2のワイヤレスデバイスは、次いで、第7のTTI640の中にRV1の第1の複製を、かつ第8のTTI645の中にRV4の第2のコピーを含んでよい、RV1に対する第4のブロックを送信し得る。より一般的には、第2のワイヤレスデバイスは、RV系列に従って、ブロックサイズに対応する特定のRVのいくつかの複製のブロックを送信してよく、たとえば、ブロックサイズが5である場合、各ブロックは、RVの5つの複製を含んでよい。
【０１２６】
図7は、本開示の態様による、異なる冗長バージョンを有するトランスポートブロックの反復送信を伴うマルチスロットスケジューリングをサポートするワイヤレスデバイス705のブロック図700を示す。ワイヤレスデバイス705は、本明細書で説明するようなユーザ機器(UE)115の態様の一例であってよい。ワイヤレスデバイス705は、受信機710、UE通信マネージャ715、および送信機720を含んでよい。ワイヤレスデバイス705はまた、プロセッサを含んでよい。これらの構成要素の各々は、(たとえば、1つまたは複数のバスを介して)互いに通信していてよい。
【０１２７】
受信機710は、パケット、ユーザデータ、または様々な情報チャネル(たとえば、制御チャネル、データチャネル、および異なる冗長バージョンを有するトランスポートブロックの反復送信を伴うマルチスロットスケジューリングに関係する情報など)に関連する制御情報などの情報を受信し得る。情報は、デバイスの他の構成要素に渡されてよい。受信機710は、図10を参照しながら説明するトランシーバ1035の態様の一例であってよい。受信機710は、単一のアンテナまたは1組のアンテナを利用し得る。
【０１２８】
UE通信マネージャ715は、図8を参照しながら説明するUE通信マネージャ815および/または図1を参照しながら説明したUE通信マネージャ102の態様の一例であってよい。
【０１２９】
UE通信マネージャ715および/またはその様々な下位構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、UE通信マネージャ715および/またはその様々な下位構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明する機能を実行するように設計されたそれらの任意の組合せによって実行され得る。UE通信マネージャ715および/またはその様々な下位構成要素のうちの少なくともいくつかは、機能の部分が1つまたは複数の物理デバイスによって異なる物理的ロケーションにおいて実装されるように分散されることを含めて、様々な位置において物理的に位置し得る。いくつかの例では、UE通信マネージャ715および/またはその様々な下位構成要素のうちの少なくともいくつかは、本開示の様々な態様による別個の異なる構成要素であり得る。他の例では、UE通信マネージャ715および/またはその様々な下位構成要素のうちの少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてよい。
【０１３０】
UE通信マネージャ715は、TTIのセットを介したトランスポートブロックの送信に対応する(たとえば、それをスケジュールする)ダウンリンク制御情報をワイヤレスデバイスにおいて受信し得、トランスポートブロック用の冗長バージョン系列を識別し得、冗長バージョン系列に基づいて、TTIのセットの中でトランスポートブロックの冗長バージョンのセットを送信または受信し得る。
【０１３１】
送信機720は、デバイスの他の構成要素によって生成された信号を送信し得る。いくつかの例では、送信機720は、トランシーバモジュールの中で受信機710と一緒に置かれてよい。たとえば、送信機720は、図10を参照しながら説明するトランシーバ1035の態様の一例であってよい。送信機720は、単一のアンテナまたは1組のアンテナを利用し得る。
【０１３２】
図8は、本開示の態様による、異なる冗長バージョンを有するトランスポートブロックの反復送信を伴うマルチスロットスケジューリングをサポートするワイヤレスデバイス805のブロック図800を示す。ワイヤレスデバイス805は、図7を参照しながら説明したようなワイヤレスデバイス705またはUE115の態様の一例であってよい。ワイヤレスデバイス805は、受信機810、UE通信マネージャ815、および送信機820を含んでよい。ワイヤレスデバイス805はまた、プロセッサを含んでよい。これらの構成要素の各々は、(たとえば、1つまたは複数のバスを介して)互いに通信していてよい。
【０１３３】
受信機810は、パケット、ユーザデータ、または様々な情報チャネル(たとえば、制御チャネル、データチャネル、および異なる冗長バージョンを有するトランスポートブロックの反復送信を伴うマルチスロットスケジューリングに関係する情報など)に関連する制御情報などの情報を受信し得る。情報は、デバイスの他の構成要素に渡されてよい。受信機810は、図10を参照しながら説明するトランシーバ1035の態様の一例であってよい。受信機810は、単一のアンテナまたは1組のアンテナを利用し得る。
【０１３４】
UE通信マネージャ815は、図7を参照しながら説明したUE通信マネージャ715および/または図1を参照しながら説明したUE通信マネージャ102の態様の一例であってよい。
【０１３５】
UE通信マネージャ815はまた、ダウンリンク制御情報プロセッサ825、冗長バージョン系列識別器830、および冗長バージョン生成器835を含んでよい。
【０１３６】
ダウンリンク制御情報プロセッサ825は、TTIのセットを介したトランスポートブロックの送信に対応する(たとえば、それをスケジュールする)ダウンリンク制御情報をワイヤレスデバイスにおいて受信し得、冗長バージョン系列の中の開始冗長バージョンを識別するインジケータを識別するためにダウンリンク制御情報を処理し得る。ダウンリンク制御情報プロセッサ825は、複数のTTIのうちの冒頭TTI用の冗長バージョン系列の中の開始冗長バージョンを示す冗長バージョンフィールドを識別するためにダウンリンク制御情報を処理し得る。場合によっては、冒頭TTIの後の後続のTTIは、示された開始冗長バージョンに基づいて、0、2、3、1という巡回を備える冗長バージョン系列に従う。
【０１３７】
冗長バージョン系列識別器830は、トランスポートブロック用の冗長バージョン系列を識別し得る。場合によっては、ワイヤレスデバイスは、冗長バージョン系列を用いて事前構成される。場合によっては、冗長バージョン系列を識別することは、系列基準に基づく冗長バージョン系列を用いてワイヤレスデバイスを構成するシグナリングを処理することを含む。場合によっては、系列基準は、性能基準を含む。場合によっては、系列基準は、自己復号可能性基準を含む。
【０１３８】
冗長バージョン生成器835は、冗長バージョン系列に基づいて、TTIのセットの中でトランスポートブロックの冗長バージョンのセットを送信または受信し得、アグリゲーションレベル、コードレート、またはそれらの組合せに基づいてTTIサブセットのセットを識別し得、その冗長バージョン系列とは異なる第2の冗長バージョン系列に基づいて、TTIの第2のセットの中でトランスポートブロックの冗長バージョンのセットの再送信を送信または受信し得、冗長バージョン系列の第2のサブセットに対応するトランスポートブロックの冗長バージョンの第2のサブセットを含む第2の送信を送信または受信し得る。場合によっては、冗長バージョン系列は、第1の冗長バージョンおよび第1の冗長バージョンのビット反転バージョンを含む。場合によっては、冗長バージョン系列は、単一の冗長バージョンを含む。場合によっては、トランスポートブロックの冗長バージョンのセットを送信または受信することは、冗長バージョン系列の第1のサブセットに対応するトランスポートブロックの冗長バージョンの第1のサブセットを含む第1の送信を送信または受信することを含む。
【０１３９】
送信機820は、デバイスの他の構成要素によって生成された信号を送信し得る。いくつかの例では、送信機820は、トランシーバモジュールの中で受信機810と一緒に置かれてよい。たとえば、送信機820は、図10を参照しながら説明するトランシーバ1035の態様の一例であってよい。送信機820は、単一のアンテナまたは1組のアンテナを利用し得る。
【０１４０】
図9は、本開示の態様による、異なる冗長バージョンを有するトランスポートブロックの反復送信を伴うマルチスロットスケジューリングをサポートするUE通信マネージャ915のブロック図900を示す。UE通信マネージャ915は、図1、図7、および図8を参照しながら説明したUE通信マネージャ102、UE通信マネージャ715、またはUE通信マネージャ815の態様の一例であってよい。UE通信マネージャ915は、ダウンリンク制御情報プロセッサ920、冗長バージョン系列識別器925、冗長バージョン生成器930、冗長バージョンブロック生成器935、および送信時間間隔サブセットサイズ決定ユニット940を含んでよい。これらのモジュールの各々は、直接または間接的に(たとえば、1つまたは複数のバスを介して)互いに通信し得る。
【０１４１】
ダウンリンク制御情報プロセッサ920は、TTIのセットを介したトランスポートブロックの送信に対応する(たとえば、それをスケジュールする)ダウンリンク制御情報をワイヤレスデバイスにおいて受信し得、冗長バージョン系列の中の開始冗長バージョンを識別するインジケータを識別するためにダウンリンク制御情報を処理し得る。
【０１４２】
冗長バージョン系列識別器925は、トランスポートブロック用の冗長バージョン系列を識別し得る。場合によっては、ワイヤレスデバイスは、冗長バージョン系列を用いて事前構成される。場合によっては、冗長バージョン系列を識別することは、系列基準に基づく冗長バージョン系列を用いてワイヤレスデバイスを構成するシグナリングを処理することを含む。場合によっては、系列基準は、性能基準を含む。場合によっては、系列基準は、自己復号可能性基準を含む。
【０１４３】
冗長バージョン生成器930は、冗長バージョン系列に基づいて、TTIのセットの中でトランスポートブロックの冗長バージョンのセットを送信または受信し得、アグリゲーションレベル、コードレート、またはそれらの組合せに基づいてTTIサブセットのセットを識別し得、その冗長バージョン系列とは異なる第2の冗長バージョン系列に基づいて、TTIの第2のセットの中でトランスポートブロックの冗長バージョンのセットの再送信を送信または受信し得、冗長バージョン系列の第2のサブセットに対応するトランスポートブロックの冗長バージョンの第2のサブセットを含む第2の送信を送信または受信し得る。場合によっては、冗長バージョン系列は、第1の冗長バージョンおよび第1の冗長バージョンのビット反転バージョンを含む。場合によっては、冗長バージョン系列は、単一の冗長バージョンを含む。場合によっては、トランスポートブロックの冗長バージョンのセットを送信または受信することは、冗長バージョン系列の第1のサブセットに対応するトランスポートブロックの冗長バージョンの第1のサブセットを含む第1の送信を送信または受信することを含む。
【０１４４】
冗長バージョンブロック生成器935は、2つ以上の冗長バージョンを含む冗長バージョンブロックを生成し得る。場合によっては、TTIのセットの中でトランスポートブロックの冗長バージョンのセットを送信または受信することは、冗長バージョンのセットの第1の冗長バージョンおよび第1の冗長バージョンの反復を、TTIのセットのTTIサブセットのセットの第1のTTIサブセット内で送信または受信することを含む。
【０１４５】
送信時間間隔サブセットサイズ決定ユニット940は、第1のTTIサブセットのサイズを決定し得、ここで、第1のTTIサブセットの中で送信または受信される第1の冗長バージョンの反復回数は、決定されたサイズに基づく。
【０１４６】
図10は、本開示の態様による、異なる冗長バージョンを有するトランスポートブロックの反復送信を伴うマルチスロットスケジューリングをサポートするデバイス1005を含むシステム1000のブロック図を示す。デバイス1005は、たとえば、図7および図8を参照しながら本明細書で説明したような、ワイヤレスデバイス705、ワイヤレスデバイス805、またはUE115の構成要素の一例であってよく、またはそれらを含んでもよい。デバイス1005は、UE通信マネージャ1015、プロセッサ1020、メモリ1025、ソフトウェア1030、トランシーバ1035、アンテナ1040、およびI/Oコントローラ1045を含む、通信を送信および受信するための構成要素を含む、双方向音声およびデータ通信のための構成要素を含んでよい。これらの構成要素は、1つまたは複数のバス(たとえば、バス1010)を介して電子通信していてよい。デバイス1005は、1つまたは複数の基地局105とワイヤレス通信し得る。
【０１４７】
プロセッサ1020は、インテリジェントハードウェアデバイス(たとえば、汎用プロセッサ、DSP、中央処理ユニット(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含んでよい。いくつかの場合には、プロセッサ1020は、メモリコントローラを使用してメモリアレイを動作させるように構成され得る。他の場合には、メモリコントローラは、プロセッサ1020の中に統合されてよい。プロセッサ1020は、様々な機能(たとえば、異なる冗長バージョンを有するトランスポートブロックの反復送信を伴うマルチスロットスケジューリングをサポートする機能またはタスク)を実行するために、メモリの中に記憶されたコンピュータ可読命令を実行するように構成され得る。
【０１４８】
メモリ1025は、ランダムアクセスメモリ(RAM)および読取り専用メモリ(ROM)を含んでよい。メモリ1025は、実行されたとき、本明細書で説明する様々な機能をプロセッサに実行させる命令を含む、コンピュータ可読コンピュータ実行可能ソフトウェア1030を記憶し得る。場合によっては、メモリ1025は、特に、周辺構成要素または周辺デバイスとの相互作用などの、基本的なハードウェア動作またはソフトウェア動作を制御し得る基本入出力システム(BIOS)を含んでよい。
【０１４９】
ソフトウェア1030は、異なる冗長バージョンを有するトランスポートブロックの反復送信を伴うマルチスロットスケジューリングをサポートするためのコードを含む、本開示の態様を実施するためのコードを含んでよい。ソフトウェア1030は、システムメモリまたは他のメモリなどの非一時的コンピュータ可読媒体の中に記憶され得る。場合によっては、ソフトウェア1030は、プロセッサによって直接実行可能でなくてよいが、(たとえば、コンパイルおよび実行されたとき)本明細書で説明する機能をコンピュータに実行させ得る。
【０１５０】
トランシーバ1035は、本明細書で説明するように、1つまたは複数のアンテナ、有線リンク、またはワイヤレスリンクを介して双方向に通信し得る。たとえば、トランシーバ1035は、ワイヤレストランシーバを表してよく、別のワイヤレストランシーバと双方向に通信し得る。トランシーバ1035はまた、送信のためにパケットを変調するとともに被変調パケットをアンテナに提供するための、またアンテナから受信されたパケットを復調するための、モデムを含んでよい。
【０１５１】
場合によっては、ワイヤレスデバイスは、単一のアンテナ1040を含んでよい。しかしながら、場合によっては、デバイスは、複数のワイヤレス送信を並行して送信または受信することが可能であり得る2つ以上のアンテナ1040を有してよい。
【０１５２】
I/Oコントローラ1045は、デバイス1005のための入力信号および出力信号を管理し得る。I/Oコントローラ1045はまた、デバイス1005の中に統合されていない周辺機器を管理し得る。場合によっては、I/Oコントローラ1045は、外部周辺機器への物理接続またはポートを表してよい。いくつかの場合には、I/Oコントローラ1045は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを利用し得る。他の場合には、I/Oコントローラ1045は、モデム、キーボード、マウス、タッチスクリーン、または類似のデバイスを表してよく、またはそれらと相互作用してよい。場合によっては、I/Oコントローラ1045は、プロセッサの一部として実装され得る。場合によっては、ユーザは、I/Oコントローラ1045を介して、またはI/Oコントローラ1045によって制御されるハードウェア構成要素を介して、デバイス1005と対話し得る。
【０１５３】
図11は、本開示の態様による、異なる冗長バージョンを有するトランスポートブロックの反復送信を伴うマルチスロットスケジューリングをサポートするワイヤレスデバイス1105のブロック図1100を示す。ワイヤレスデバイス1105は、本明細書で説明するような基地局105の態様の一例であってよい。ワイヤレスデバイス1105は、受信機1110、基地局通信マネージャ1115、および送信機1120を含んでよい。ワイヤレスデバイス1105はまた、プロセッサを含んでよい。これらの構成要素の各々は、(たとえば、1つまたは複数のバスを介して)互いに通信していてよい。
【０１５４】
受信機1110は、パケット、ユーザデータ、または様々な情報チャネル(たとえば、制御チャネル、データチャネル、および異なる冗長バージョンを有するトランスポートブロックの反復送信を伴うマルチスロットスケジューリングに関係する情報など)に関連する制御情報などの情報を受信し得る。情報は、デバイスの他の構成要素に渡されてよい。受信機1110は、図14を参照しながら説明するトランシーバ1435の態様の一例であってよい。受信機1110は、単一のアンテナまたは1組のアンテナを利用し得る。
【０１５５】
基地局通信マネージャ1115は、図14を参照しながら説明する基地局通信マネージャ1415および/または図1を参照しながら説明した基地局通信マネージャ101の態様の一例であってよい。
【０１５６】
基地局通信マネージャ1115および/またはその様々な下位構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ1115および/またはその様々な下位構成要素のうちの少なくともいくつかの機能は、汎用プロセッサ、DSP、ASIC、FPGAもしくは他のプログラマブル論理デバイス、個別ゲートもしくはトランジスタ論理、個別ハードウェア構成要素、または本開示で説明する機能を実行するように設計されたそれらの任意の組合せによって実行され得る。基地局通信マネージャ1115および/またはその様々な下位構成要素のうちの少なくともいくつかは、機能の部分が1つまたは複数の物理デバイスによって異なる物理的ロケーションにおいて実装されるように分散されることを含めて、様々な位置において物理的に位置し得る。いくつかの例では、基地局通信マネージャ1115および/またはその様々な下位構成要素のうちの少なくともいくつかは、本開示の様々な態様による別個の異なる構成要素であり得る。他の例では、基地局通信マネージャ1115および/またはその様々な下位構成要素のうちの少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてよい。
【０１５７】
基地局通信マネージャ1115は、TTIのセットを介したトランスポートブロックの送信に対応する(たとえば、それをスケジュールする)ダウンリンク制御情報をワイヤレスデバイスによって送信し得、トランスポートブロック用の冗長バージョン系列を識別し得、冗長バージョン系列に基づいて、TTIのセットの中でトランスポートブロックの冗長バージョンのセットを送信または受信し得る。
【０１５８】
送信機1120は、デバイスの他の構成要素によって生成された信号を送信し得る。いくつかの例では、送信機1120は、トランシーバモジュールの中で受信機1110と一緒に置かれてよい。たとえば、送信機1120は、図14を参照しながら説明するトランシーバ1435の態様の一例であってよい。送信機1120は、単一のアンテナまたは1組のアンテナを利用し得る。
【０１５９】
図12は、本開示の態様による、異なる冗長バージョンを有するトランスポートブロックの反復送信を伴うマルチスロットスケジューリングをサポートするワイヤレスデバイス1205のブロック図1200を示す。ワイヤレスデバイス1205は、図11を参照しながら説明したようなワイヤレスデバイス1105または基地局105の態様の一例であってよい。ワイヤレスデバイス1205は、受信機1210、基地局通信マネージャ1215、および送信機1220を含んでよい。ワイヤレスデバイス1205はまた、プロセッサを含んでよい。これらの構成要素の各々は、(たとえば、1つまたは複数のバスを介して)互いに通信していてよい。
【０１６０】
受信機1210は、パケット、ユーザデータ、または様々な情報チャネル(たとえば、制御チャネル、データチャネル、および異なる冗長バージョンを有するトランスポートブロックの反復送信を伴うマルチスロットスケジューリングに関係する情報など)に関連する制御情報などの情報を受信し得る。情報は、デバイスの他の構成要素に渡されてよい。受信機1210は、図14を参照しながら説明するトランシーバ1435の態様の一例であってよい。受信機1210は、単一のアンテナまたは1組のアンテナを利用し得る。
【０１６１】
基地局通信マネージャ1215は、図14を参照しながら説明する基地局通信マネージャ1415および/または図1を参照しながら説明した基地局通信マネージャ101の態様の一例であってよい。
【０１６２】
基地局通信マネージャ1215はまた、ダウンリンク制御情報プロセッサ1225、冗長バージョン系列識別器1230、および冗長バージョン生成器1235を含んでよい。
【０１６３】
ダウンリンク制御情報プロセッサ1225は、TTIのセットを介したトランスポートブロックの送信に対応する(たとえば、それをスケジュールする)ダウンリンク制御情報をワイヤレスデバイスによって送信し得る。
【０１６４】
冗長バージョン系列識別器1230は、トランスポートブロック用の冗長バージョン系列を識別し得る。いくつかの例では、表示は、ダウンリンク制御情報の冗長バージョンフィールドの中にあり、冗長バージョン系列の中の開始冗長バージョンは、複数のTTIのうちの冒頭TTIのものである。場合によっては、冒頭TTIの後の後続のTTIは、示された開始冗長バージョンに少なくとも部分的に基づいて、0、2、3、1という巡回を備える冗長バージョン系列に従う。
【０１６５】
冗長バージョン生成器1235は、冗長バージョン系列に基づいて、TTIのセットの中でトランスポートブロックの冗長バージョンのセットを送信または受信し得る。
【０１６６】
送信機1220は、デバイスの他の構成要素によって生成された信号を送信し得る。いくつかの例では、送信機1220は、トランシーバモジュールの中で受信機1210と一緒に置かれてよい。たとえば、送信機1220は、図14を参照しながら説明するトランシーバ1435の態様の一例であってよい。送信機1220は、単一のアンテナまたは1組のアンテナを利用し得る。
【０１６７】
図13は、本開示の態様による、異なる冗長バージョンを有するトランスポートブロックの反復送信を伴うマルチスロットスケジューリングをサポートする基地局通信マネージャ1315のブロック図1300を示す。基地局通信マネージャ1315は、図11、図12、および図14を参照しながら説明する基地局通信マネージャ1415ならびに/または図1を参照しながら説明した基地局通信マネージャ101の態様の一例であってよい。基地局通信マネージャ1315は、ダウンリンク制御情報プロセッサ1320、冗長バージョン系列識別器1325、冗長バージョン生成器1330、および冗長バージョン指示器1335を含んでよい。これらのモジュールの各々は、直接または間接的に(たとえば、1つまたは複数のバスを介して)互いに通信し得る。
【０１６８】
ダウンリンク制御情報プロセッサ1320は、TTIのセットを介したトランスポートブロックの送信に対応する(たとえば、それをスケジュールする)ダウンリンク制御情報をワイヤレスデバイスによって送信し得る。
【０１６９】
冗長バージョン系列識別器1325は、トランスポートブロック用の冗長バージョン系列を識別し得る。
【０１７０】
冗長バージョン生成器1330は、冗長バージョン系列に基づいて、TTIのセットの中でトランスポートブロックの冗長バージョンのセットを送信または受信し得る。
【０１７１】
冗長バージョン指示器1335は、冗長バージョン系列の指示を送信し得る。場合によっては、表示は、冗長バージョン系列の中の開始冗長バージョンを識別する。場合によっては、表示は、ダウンリンク制御情報の中で送信される。場合によっては、表示は、無線リソース制御シグナリングの中で送信される。
【０１７２】
図14は、本開示の態様による、異なる冗長バージョンを有するトランスポートブロックの反復送信を伴うマルチスロットスケジューリングをサポートするデバイス1405を含むシステム1400のブロック図を示す。デバイス1405は、たとえば、図1を参照しながら本明細書で説明したような、基地局105の構成要素の一例であってよく、またはそれを含んでもよい。デバイス1405は、基地局通信マネージャ1415、プロセッサ1420、メモリ1425、ソフトウェア1430、トランシーバ1435、アンテナ1440、ネットワーク通信マネージャ1445、および局間通信マネージャ1450を含む、通信を送信および受信するための構成要素を含む、双方向音声およびデータ通信のための構成要素を含んでよい。これらの構成要素は、1つまたは複数のバス(たとえば、バス1410)を介して電子通信していてよい。デバイス1405は、1つまたは複数のUE115とワイヤレス通信し得る。
【０１７３】
プロセッサ1420は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含んでよい。いくつかの場合には、プロセッサ1420は、メモリコントローラを使用してメモリアレイを動作させるように構成され得る。他の場合には、メモリコントローラは、プロセッサ1420の中に統合されてよい。プロセッサ1420は、様々な機能(たとえば、異なる冗長バージョンを有するトランスポートブロックの反復送信を伴うマルチスロットスケジューリングをサポートする機能またはタスク)を実行するために、メモリの中に記憶されたコンピュータ可読命令を実行するように構成され得る。
【０１７４】
メモリ1425は、RAMおよびROMを含んでよい。メモリ1425は、実行されたとき、本明細書で説明する様々な機能をプロセッサに実行させる命令を含む、コンピュータ可読コンピュータ実行可能ソフトウェア1430を記憶し得る。場合によっては、メモリ1425は、特に、周辺構成要素または周辺デバイスとの相互作用などの、基本的なハードウェア動作またはソフトウェア動作を制御し得るBIOSを含んでよい。
【０１７５】
ソフトウェア1430は、異なる冗長バージョンを有するトランスポートブロックの反復送信を伴うマルチスロットスケジューリングをサポートするためのコードを含む、本開示の態様を実施するためのコードを含んでよい。ソフトウェア1430は、システムメモリまたは他のメモリなどの非一時的コンピュータ可読媒体の中に記憶され得る。場合によっては、ソフトウェア1430は、プロセッサによって直接実行可能でなくてよいが、(たとえば、コンパイルおよび実行されたとき)本明細書で説明する機能をコンピュータに実行させ得る。
【０１７６】
トランシーバ1435は、本明細書で説明するように、1つまたは複数のアンテナ、有線リンク、またはワイヤレスリンクを介して双方向に通信し得る。たとえば、トランシーバ1435は、ワイヤレストランシーバを表してよく、別のワイヤレストランシーバと双方向に通信し得る。トランシーバ1435はまた、送信のためにパケットを変調するとともに被変調パケットをアンテナに提供するための、またアンテナから受信されたパケットを復調するための、モデムを含んでよい。
【０１７７】
場合によっては、ワイヤレスデバイスは、単一のアンテナ1440を含んでよい。しかしながら、場合によっては、デバイスは、複数のワイヤレス送信を並行して送信または受信することが可能であり得る2つ以上のアンテナ1440を有してよい。
【０１７８】
ネットワーク通信マネージャ1445は、(たとえば、1つまたは複数の有線バックホールリンクを介した)コアネットワークとの通信を管理し得る。たとえば、ネットワーク通信マネージャ1445は、1つまたは複数のUE115などのクライアントデバイスのためのデータ通信の転送を管理し得る。
【０１７９】
局間通信マネージャ1450は、他の基地局105との通信を管理し得、他の基地局105と協働してUE115との通信を制御するためのコントローラまたはスケジューラを含んでよい。たとえば、局間通信マネージャ1450は、ビームフォーミングまたはジョイント送信などの様々な干渉緩和技法のために、UE115への送信に対するスケジューリングを協調させ得る。いくつかの例では、局間通信マネージャ1450は、基地局105の間で通信を行うために、LTE/LTE-Aワイヤレス通信ネットワーク技術内のX2インターフェースを提供し得る。
【０１８０】
図15は、本開示の態様による、異なる冗長バージョンを有するトランスポートブロックの反復送信を伴うマルチスロットスケジューリングのための方法1500を示すフローチャートを示す。方法1500の動作は、本明細書で説明するようなUE115またはその構成要素によって実施され得る。たとえば、方法1500の動作は、図7〜図10を参照しながら説明したようなUE通信マネージャによって実行され得る。いくつかの例では、UE115は、本明細書で説明する機能を実行するようにデバイスの機能要素を制御するためのコードのセットを実行し得る。追加または代替として、UE115は、本明細書で説明する機能の態様を、専用ハードウェアを使用して実行し得る。
【０１８１】
1505において、UE115は、複数の連続するTTIを介したトランスポートブロックの送信に対応する(たとえば、それをスケジュールする)ダウンリンク制御情報を受信し得る。1505の動作は、本明細書で説明する方法に従って実行され得る。いくつかの例では、1505の動作の態様は、図7〜図10を参照しながら説明したようなダウンリンク制御情報プロセッサによって実行され得る。
【０１８２】
1510において、UE115は、トランスポートブロック用の冗長バージョン系列を識別し得る。1510の動作は、本明細書で説明する方法に従って実行され得る。いくつかの例では、1510の動作の態様は、図7〜図10を参照しながら説明したような冗長バージョン系列識別器によって実行され得る。
【０１８３】
1515において、UE115は、冗長バージョン系列に少なくとも部分的に基づいて、複数の連続するTTIの中でトランスポートブロックの複数の冗長バージョンを送信または受信し得る。1515の動作は、本明細書で説明する方法に従って実行され得る。いくつかの例では、1515の動作の態様は、図7〜図10を参照しながら説明したような冗長バージョン生成器によって実行され得る。
【０１８４】
図16は、本開示の態様による、異なる冗長バージョンを有するトランスポートブロックの反復送信を伴うマルチスロットスケジューリングのための方法1600を示すフローチャートを示す。方法1600の動作は、本明細書で説明するようなUE115またはその構成要素によって実施され得る。たとえば、方法1600の動作は、図7〜図10を参照しながら説明したようなUE通信マネージャによって実行され得る。いくつかの例では、UE115は、本明細書で説明する機能を実行するようにデバイスの機能要素を制御するためのコードのセットを実行し得る。追加または代替として、UE115は、本明細書で説明する機能の態様を、専用ハードウェアを使用して実行し得る。
【０１８５】
1605において、UE115は、複数の連続するTTIを介したトランスポートブロックの送信に対応する(たとえば、それをスケジュールする)ダウンリンク制御情報を受信し得る。1605の動作は、本明細書で説明する方法に従って実行され得る。いくつかの例では、1605の動作の態様は、図7〜図10を参照しながら説明したようなダウンリンク制御情報プロセッサによって実行され得る。
【０１８６】
1610において、UE115は、トランスポートブロック用の冗長バージョン系列を識別し得る。1610の動作は、本明細書で説明する方法に従って実行され得る。いくつかの例では、1610の動作の態様は、図7〜図10を参照しながら説明したような冗長バージョン系列識別器によって実行され得る。
【０１８７】
1615において、UE115は、冗長バージョン系列に少なくとも部分的に基づいて、複数の連続するTTIの中でトランスポートブロックの複数の冗長バージョンを送信または受信し得る。1615の動作は、本明細書で説明する方法に従って実行され得る。いくつかの例では、1615の動作の態様は、図7〜図10を参照しながら説明したような冗長バージョン生成器によって実行され得る。
【０１８８】
1620において、UE115は、その冗長バージョン系列とは異なる第2の冗長バージョン系列に少なくとも部分的に基づいて、第2の複数のTTIの中でトランスポートブロックの複数の冗長バージョンの再送信を送信または受信し得る。1620の動作は、本明細書で説明する方法に従って実行され得る。いくつかの例では、1620の動作の態様は、図7〜図10を参照しながら説明したような冗長バージョン生成器によって実行され得る。
【０１８９】
図17は、本開示の態様による、異なる冗長バージョンを有するトランスポートブロックの反復送信を伴うマルチスロットスケジューリングのための方法1700を示すフローチャートを示す。方法1700の動作は、本明細書で説明するような基地局105またはその構成要素によって実施され得る。たとえば、方法1700の動作は、図11〜図14を参照しながら説明したような基地局通信マネージャによって実行され得る。いくつかの例では、基地局105は、本明細書で説明する機能を実行するようにデバイスの機能要素を制御するためのコードのセットを実行し得る。追加または代替として、基地局105は、本明細書で説明する機能の態様を、専用ハードウェアを使用して実行し得る。
【０１９０】
1705において、基地局105は、複数の連続するTTIを介したトランスポートブロックの送信に対応する(たとえば、それをスケジュールする)ダウンリンク制御情報を送信し得る。1705の動作は、本明細書で説明する方法に従って実行され得る。いくつかの例では、1705の動作の態様は、図11〜図14を参照しながら説明したようなダウンリンク制御情報プロセッサによって実行され得る。
【０１９１】
1710において、基地局105は、トランスポートブロック用の冗長バージョン系列を識別し得る。1710の動作は、本明細書で説明する方法に従って実行され得る。いくつかの例では、1710の動作の態様は、図11〜図14を参照しながら説明したような冗長バージョン系列識別器によって実行され得る。
【０１９２】
1715において、基地局105は、冗長バージョン系列に少なくとも部分的に基づいて、複数の連続するTTIの中でトランスポートブロックの複数の冗長バージョンを送信または受信し得る。1715の動作は、本明細書で説明する方法に従って実行され得る。いくつかの例では、1715の動作の態様は、図11〜図14を参照しながら説明したような冗長バージョン生成器によって実行され得る。
【０１９３】
図18は、本開示の態様による、異なる冗長バージョンを有するトランスポートブロックの反復送信を伴うマルチスロットスケジューリングのための方法1800を示すフローチャートを示す。方法1800の動作は、本明細書で説明するような基地局105またはその構成要素によって実施され得る。たとえば、方法1800の動作は、図11〜図14を参照しながら説明したような基地局通信マネージャによって実行され得る。いくつかの例では、基地局105は、本明細書で説明する機能を実行するようにデバイスの機能要素を制御するためのコードのセットを実行し得る。追加または代替として、基地局105は、本明細書で説明する機能の態様を、専用ハードウェアを使用して実行し得る。
【０１９４】
1805において、基地局105は、冗長バージョン系列の指示を送信し得る。1805の動作は、本明細書で説明する方法に従って実行され得る。いくつかの例では、1805の動作の態様は、図11〜図14を参照しながら説明したような冗長バージョン指示器によって実行され得る。
【０１９５】
1810において、基地局105は、複数の連続するTTIを介したトランスポートブロックの送信に対応する(たとえば、それをスケジュールする)ダウンリンク制御情報を送信し得る。1810の動作は、本明細書で説明する方法に従って実行され得る。いくつかの例では、1810の動作の態様は、図11〜図14を参照しながら説明したようなダウンリンク制御情報プロセッサによって実行され得る。
【０１９６】
1815において、基地局105は、トランスポートブロック用の冗長バージョン系列を識別し得る。1815の動作は、本明細書で説明する方法に従って実行され得る。いくつかの例では、1815の動作の態様は、図11〜図14を参照しながら説明したような冗長バージョン系列識別器によって実行され得る。
【０１９７】
1820において、基地局105は、冗長バージョン系列に少なくとも部分的に基づいて、複数の連続するTTIの中でトランスポートブロックの複数の冗長バージョンを送信または受信し得る。1820の動作は、本明細書で説明する方法に従って実行され得る。いくつかの例では、1820の動作の態様は、図11〜図14を参照しながら説明したような冗長バージョン生成器によって実行され得る。
【０１９８】
本明細書で説明した方法が、可能な実装形態を説明すること、動作およびステップが、再構成または別様に修正され得ること、ならびに他の実装形態が可能であることに留意されたい。さらに、方法のうちの2つ以上からの態様が、組み合わせられてよい。
【０１９９】
本明細書で説明した技法は、符号分割多元接続(CDMA)(登録商標)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。CDMA(登録商標)システムは、CDMA2000、ユニバーサル地上波無線アクセス(UTRA)などの無線技術を実装し得る。CDMA2000は、IS-2000規格、IS-95規格、およびIS-856規格をカバーする。IS-2000リリースは、通常、CDMA2000 1X、1Xなどと呼ばれることがある。IS-856(TIA-856)は、通常、CDMA2000 1xEV-DO、高速パケットデータ(HRPD)などと呼ばれる。UTRAは、ワイドバンドCDMA(登録商標)(WCDMA(登録商標))、およびCDMA(登録商標)の他の変形形態を含む。TDMAシステムは、モバイル通信用グローバルシステム(GSM(登録商標))などの無線技術を実装し得る。
【０２００】
OFDMAシステムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、ユニバーサル移動電気通信システム(UMTS)の一部である。LTEおよびLTE-Aは、E-UTRAを使用するUMTSのリリースである。UTRA、E-UTRA、UMTS、LTE、LTE-A、NR、およびGSM(登録商標)は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明した技法は、上述のシステムおよび無線技術、ならびに他のシステムおよび無線技術のために使用され得る。LTEまたはNRシステムの態様が、例として説明されることがあり、LTEまたはNR用語が、説明の大部分において使用されることがあるが、本明細書で説明した技法は、LTEまたはNR適用例以外に適用可能である。
【０２０１】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105に関連付けられてよく、スモールセルは、マクロセルと同じかまたはマクロセルとは異なる(たとえば、認可、無認可など)周波数帯域において動作し得る。スモールセルは、様々な例によれば、ピコセル、フェムトセル、およびマイクロセルを含んでよい。ピコセルは、たとえば、小さい地理的エリアをカバーしてよく、ネットワークプロバイダのサービスに加入しているUE115による無制限アクセスを可能にし得る。フェムトセルも、小さい地理的エリア(たとえば、自宅)をカバーしてよく、フェムトセルとの関連付けを有するUE115(たとえば、限定加入者グループ(CSG:closed subscriber group)の中のUE115、自宅の中のユーザ用のUE115など)による制限付きアクセスを提供し得る。マクロセル用のeNBは、マクロeNBと呼ばれることがある。スモールセル用のeNBは、スモールセルeNB、ピコeNB、フェムトeNB、またはホームeNBと呼ばれることがある。eNBは、1つまたは複数(たとえば、2つ、3つ、4つなど)のセルをサポートし得、1つまたは複数のコンポーネントキャリアを使用する通信もサポートし得る。
【０２０２】
本明細書で説明した1つまたは複数のワイヤレス通信システム100は、同期動作または非同期動作をサポートし得る。同期動作の場合、基地局105は、類似のフレームタイミングを有してよく、異なる基地局105からの送信は、時間的にほぼ位置合わせされ得る。非同期動作の場合、基地局105は、異なるフレームタイミングを有することがあり、異なる基地局105からの送信は、時間的に位置合わせされないことがある。本明細書で説明した技法は、同期動作または非同期動作のいずれにも使用され得る。
【０２０３】
本明細書で説明した情報および信号は、多種多様な技術および技法のうちのいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２０４】
本明細書の本開示に関して説明した様々な例示的なブロックおよびモジュールは、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、個別ゲートもしくはトランジスタ論理、個別ハードウェア構成要素、または本明細書で説明した機能を実行するように設計されたそれらの任意の組合せを用いて実装または実行され得る。汎用プロセッサは、マイクロプロセッサであってよいが、代替として、プロセッサは、任意の従来のプロセッサ、コントローラ、マイクロコントローラ、またはステートマシンであってよい。プロセッサはまた、コンピューティングデバイスの組合せ(たとえば、DSPとマイクロプロセッサとの組合せ、複数のマイクロプロセッサ、DSPコアと連携する1つもしくは複数のマイクロプロセッサ、または任意の他のそのような構成)として実装され得る。
【０２０５】
本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、1つまたは複数の命令またはコードとして、コンピュータ可読媒体上に記憶されるか、またはコンピュータ可読媒体を介して送信され得る。他の例および実装形態が、本開示および添付の特許請求の範囲内に入る。たとえば、ソフトウェアの性質に起因して、本明細書で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置において物理的に位置し得る。
【０２０６】
コンピュータ可読媒体は、ある場所から別の場所へのコンピュータプログラムの移送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、ランダムアクセスメモリ(RAM)、読取り専用メモリ(ROM)、電気的消去可能プログラマブル読取り専用メモリ(EEPROM)、フラッシュメモリ、コンパクトディスク(CD)ROMまたは他の光ディスクストレージ、磁気ディスクストレージまたは他の磁気記憶デバイス、あるいは命令またはデータ構造の形態の所望のプログラムコード手段を搬送または記憶するために使用され得るとともに、汎用コンピュータもしくは専用コンピュータまたは汎用プロセッサもしくは専用プロセッサによってアクセスされ得る、任意の他の非一時的媒体を備えてよい。また、いかなる接続も、コンピュータ可読媒体と適切に呼ばれる。たとえば、ソフトウェアが、同軸ケーブル、光ファイバーケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピーディスク(disk)、およびBlue-rayディスク(disc)を含み、ここで、ディスク(disk)は、通常、データを磁気的に再生し、ディスク(disc)は、レーザーを用いてデータを光学的に再生する。上記の組合せも、コンピュータ可読媒体の範囲内に含まれる。
【０２０７】
特許請求の範囲内を含めて本明細書で使用する項目のリスト(たとえば、「のうちの少なくとも1つ」または「のうちの1つまたは複数」などの句で終わる項目のリスト)において使用される「または」は、たとえば、A、B、またはCのうちの少なくとも1つのリストが、AまたはBまたはCまたはABまたはACまたはBCまたはABC(すなわち、AおよびBおよびC)を意味するような、包括的リストを示す。また、本明細書で使用する「に基づいて」という句は、条件の閉集合への参照と解釈されないものとする。たとえば、「条件Aに基づいて」として説明される例示的なステップは、本開示の範囲から逸脱することなく、条件Aと条件Bの両方に基づいてよい。言い換えれば、本明細書で使用する「に基づいて」という句は、「に少なくとも部分的に基づいて」という句と同じように解釈されるものとする。
【０２０８】
添付の図では、類似の構成要素または特徴は、同じ参照ラベルを有してよい。さらに、同じタイプの様々な構成要素は、参照ラベルの後に、ダッシュと、類似の構成要素を区別する第2のラベルとを続けることによって区別され得る。第1の参照ラベルのみが本明細書で使用される場合、説明は、第2の参照ラベル、または他の後続の参照ラベルにかかわらず、同じ第1の参照ラベルを有する類似の構成要素のうちのいずれにも適用可能である。
【０２０９】
添付の図面に関して本明細書に記載される説明は、例示的な構成を説明しており、実装され得るかまたは特許請求の範囲内に入るすべての例を表すとは限らない。本明細書で使用する「例示的」という用語は、「例、事例、または例示の働きをすること」を意味し、「好ましい」または「他の例よりも有利な」を意味しない。発明を実施するための形態は、説明した技法の理解をもたらすための具体的な詳細を含む。しかしながら、これらの技法は、これらの具体的な詳細なしに実践され得る。いくつかの事例では、説明した例の概念を不明瞭にすることを回避するために、よく知られている構造およびデバイスが、ブロック図の形式で示される。
【０２１０】
本明細書での説明は、当業者が本開示を作成または使用することを可能にするために与えられる。本開示の様々な修正は、当業者には容易に明らかとなり、本明細書で定義される一般原理は、本開示の範囲から逸脱することなく他の変形形態に適用され得る。したがって、本開示は、本明細書で説明した例および設計に限定されず、本明細書で開示する原理および新規の特徴に合致する最も広い範囲を与えられるべきである。
【符号の説明】
【０２１１】
100  ワイヤレス通信システム
101  基地局通信マネージャ
102  UE通信マネージャ
105  基地局
110  地理的カバレージエリア
115  ユーザ機器(UE)
125  通信リンク
130  コアネットワーク
132、134  バックホールリンク
200  ワイヤレス通信システム
205  第1のワイヤレスデバイス
210  第2のワイヤレスデバイス
215  第1の制御チャネル
220  第1の共有データチャネル
225  第2の制御チャネル
230  第2の共有データチャネル
235  制御チャネル
240  共有データチャネル
305  第1のワイヤレスデバイス
310  第2のワイヤレスデバイス
400  冗長バージョン送信方式
405  初期送信
410  第1の制御チャネル
415  第1のTTI
420  第2のTTI
425  第3のTTI
430  第4のTTI
435  再送信
440  第2の制御チャネル
445  第1の再送信TTI
450  第2の再送信TTI
455  第3の再送信TTI
460  第4の再送信TTI
500  冗長バージョン送信方式
505  第1の制御チャネル
510  第1のTTI
515  第2のTTI
520  第2の制御チャネル
525  第1の再送信TTI
530  第2の再送信TTI
550  初期送信
555  第2の送信
600  冗長バージョン送信方式
605  第1の制御チャネル
610  第1のTTI
615  第2のTTI
620  第3のTTI
625  第4のTTI
630  第5のTTI
635  第6のTTI
640  第7のTTI
645  第8のTTI
650  送信
705  ワイヤレスデバイス
710  受信機
715  UE通信マネージャ
720  送信機
805  ワイヤレスデバイス
810  受信機
815  UE通信マネージャ
820  送信機
825  ダウンリンク制御情報プロセッサ
830  冗長バージョン系列識別器
835  冗長バージョン生成器
915  UE通信マネージャ
920  ダウンリンク制御情報プロセッサ
925  冗長バージョン系列識別器
930  冗長バージョン生成器
935  冗長バージョンブロック生成器
940  送信時間間隔サブセットサイズ決定ユニット
1005  デバイス
1010  バス
1015  UE通信マネージャ
1020  プロセッサ
1025  メモリ
1030  ソフトウェア
1035  トランシーバ
1040  アンテナ
1045  I/Oコントローラ
1105  ワイヤレスデバイス
1110  受信機
1115  基地局通信マネージャ
1120  送信機
1205  ワイヤレスデバイス
1210  受信機
1215  基地局通信マネージャ
1220  送信機
1225  ダウンリンク制御情報プロセッサ
1230  冗長バージョン系列識別器
1235  冗長バージョン生成器
1315  基地局通信マネージャ
1320  ダウンリンク制御情報プロセッサ
1325  冗長バージョン系列識別器
1330  冗長バージョン生成器
1335  冗長バージョン指示器
1405  デバイス
1410  バス
1415  基地局通信マネージャ
1420  プロセッサ
1425  メモリ
1430  ソフトウェア
1435  トランシーバ
1440  アンテナ
1445  ネットワーク通信マネージャ
1450  局間通信マネージャ
【図１】
2021503763.tif 000003
【図２】
2021503763.tif 000004
【図３】
2021503763.tif 000005
【図４】
2021503763.tif 000006
【図５】
2021503763.tif 000007
【図６】
2021503763.tif 000008
【図７】
2021503763.tif 000009
【図８】
2021503763.tif 000010
【図９】
2021503763.tif 000011
【図１０】
2021503763.tif 000012
【図１１】
2021503763.tif 000013
【図１２】
2021503763.tif 000014
【図１３】
2021503763.tif 000015
【図１４】
2021503763.tif 000016
【図１５】
2021503763.tif 000017
【図１６】
2021503763.tif 000018
【図１７】
2021503763.tif 000019
【図１８】
2021503763.tif 000020
【国際調査報告】
2021503763.tif 000021
2021503763.tif 000022
2021503763.tif 000023